(57)【要約】      （修正有）【課題】複数のアクティブ接続とともに動作するように構成されたワイヤレス通信デバイスおよび方法を提供する。【解決手段】ユーザ機器が、第１のサブスクリプションに関連する第１のアクティブ接続を確立する。ユーザ機器はまた、第１のアクティブ接続と同時に、第２のサブスクリプションに関連する第２のアクティブ接続を確立する。ユーザ機器は、第１のアクティブ接続と第２のアクティブ接続との接続品質に対応するモデム情報をユーザ機器のオペレーティングシステムに与える。さらに、ユーザ機器は、モデム情報に基づいてオペレーティングシステムによって与えられた決定に従って第１のアクティブ接続または第２のアクティブ接続の少なくとも一方を劣化させることによって、第１のアクティブ接続と第２のアクティブ接続との間の競合を緩和する。【選択図】図５
2020010391.tif 000002
【特許請求の範囲】
【請求項１】
ユーザ機器（ＵＥ）において動作可能なワイヤレス通信の方法であって、
第１のサブスクリプションに関連する第１のアクティブ接続を確立することと、
前記第１のアクティブ接続と同時に、第２のサブスクリプションに関連する第２のアクティブ接続を確立することと、
前記第１のアクティブ接続と前記第２のアクティブ接続との接続品質に対応するモデム情報を前記ＵＥのオペレーティングシステムに与えることと、
前記モデム情報に基づいて前記オペレーティングシステムによって行われた決定に従って前記第１のアクティブ接続または前記第２のアクティブ接続の少なくとも一方を劣化させることによって、前記第１のアクティブ接続と前記第２のアクティブ接続との間の競合を緩和することと
を備える、方法。
【請求項２】
前記接続品質が、前記第１の接続または前記第２の接続に対応するエラーレート、チャネル品質、要求されたデータレート、利用可能なデータレート、受信電力、送信電力ヘッドルーム、またはラウンドトリップ時間のうちの少なくとも１つを備える、請求項１に記載の方法。
【請求項３】
前記第１のアクティブ接続および前記第２のアクティブ接続に関する情報を前記ＵＥのユーザに与えることと、
前記第１のアクティブ接続および前記第２のアクティブ接続のいずれが劣化されるべきかに関する前記ユーザからの入力を受信することと、
前記ユーザからの前記入力に従って、競合を緩和するための前記決定を行うことと
をさらに備える、請求項１に記載の方法。
【請求項４】
競合を前記緩和することが、
前記第１のアクティブ接続または前記第２のアクティブ接続の一方に、他方に勝る優先度を付けること、
前記第１のアクティブ接続または前記第２のアクティブ接続の少なくとも一方のデータをスロットリングすること、または
前記第１のアクティブ接続または前記第２のアクティブ接続の少なくとも一方を保留にすること
のうちの少なくとも１つを備える、請求項１に記載の方法。
【請求項５】
前記第１のアクティブ接続が第１のボイス呼を備え、前記第２のアクティブ接続が第２のボイス呼を備え、
ここにおいて、競合を前記緩和することが、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にすることを備える、請求項１に記載の方法。
【請求項６】
前記第１のアクティブ接続がボイス呼を備え、前記第２のアクティブ接続がデータ呼を備え、
ここにおいて、競合を前記緩和することは、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、    前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
を備える、請求項１に記載の方法。
【請求項７】
ユーザ機器（ＵＥ）において動作可能なワイヤレス通信の方法であって、
第１のサブスクリプションに関連する第１のアクティブ接続を確立することと、
前記第１のアクティブ接続と同時に、第２のサブスクリプションに関連する第２のアクティブ接続を確立することと、
前記ＵＥのモデムによって決定された前記第１のアクティブ接続および前記第２のアクティブ接続のそれぞれの接続品質に基づいて、前記モデムによって行われた決定に従って前記第１のアクティブ接続または前記第２のアクティブ接続の少なくとも一方を劣化させることによって、前記第１のアクティブ接続と前記第２のアクティブ接続との間の競合を緩和することと
を備える、方法。
【請求項８】
前記接続品質が、エラーレート、チャネル品質、要求されたデータレート、利用可能なデータレート、受信電力、送信電力ヘッドルーム、またはラウンドトリップ時間のうちの少なくとも１つを備える、請求項７に記載の方法。
【請求項９】
競合を前記緩和することが、
前記第１のアクティブ接続および前記第２のアクティブ接続の一方に、他方に勝る優先度を付けること、
前記第１のアクティブ接続または前記第２のアクティブ接続の少なくとも一方をスロットリングすること、または
前記第１のアクティブ接続または前記第２のアクティブ接続の少なくとも一方を保留にすること
のうちの少なくとも１つを備える、請求項７に記載の方法。
【請求項１０】
前記第１のアクティブ接続が第１のボイス呼を備え、前記第２のアクティブ接続が第２のボイス呼を備え、
ここにおいて、競合を前記緩和することが、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にすることを備える、請求項７に記載の方法。
【請求項１１】
前記モデムによって行われた前記決定が、前記ＵＥのオペレーティングシステムまたはユーザによって行われない、請求項７に記載の方法。
【請求項１２】
ワイヤレス通信のためのユーザ機器（ＵＥ）であって、
第１のサブスクリプションに関連する第１のアクティブ接続を確立するための手段と、  前記第１のアクティブ接続と同時に、第２のサブスクリプションに関連する第２のアクティブ接続を確立するための手段と、
前記第１のアクティブ接続と前記第２のアクティブ接続との接続品質に対応するモデム情報を前記ＵＥのオペレーティングシステムに与えるための手段と、
前記モデム情報に基づいて前記オペレーティングシステムによって行われた決定に従って前記第１のアクティブ接続または前記第２のアクティブ接続の少なくとも一方を劣化させることによって、前記第１のアクティブ接続と前記第２のアクティブ接続との間の競合を緩和するための手段と
を備える、ユーザ機器。
【請求項１３】
前記接続品質が、前記第１の接続または前記第２の接続に対応するエラーレート、チャネル品質、要求されたデータレート、利用可能なデータレート、受信電力、送信電力ヘッドルーム、またはラウンドトリップ時間のうちの少なくとも１つを備える、請求項１２に記載のユーザ機器。
【請求項１４】
前記第１のアクティブ接続および前記第２のアクティブ接続に関する情報を前記ＵＥのユーザに与えるための手段と、
前記第１のアクティブ接続および前記第２のアクティブ接続のいずれが劣化されるべきかに関する前記ユーザからの入力を受信するための手段と、
前記ユーザからの前記入力に従って、競合を緩和するための前記決定を行うための手段と
をさらに備える、請求項１２に記載のユーザ機器。
【請求項１５】
競合を緩和するための前記手段が、
前記第１のアクティブ接続または前記第２のアクティブ接続の一方に、他方に勝る優先度を付けるための手段、
前記第１のアクティブ接続または前記第２のアクティブ接続の少なくとも一方のデータをスロットリングするための手段、または
前記第１のアクティブ接続または前記第２のアクティブ接続の少なくとも一方を保留にするための手段
のうちの少なくとも１つを備える、請求項１２に記載のユーザ機器。
【請求項１６】
前記第１のアクティブ接続が第１のボイス呼を備え、前記第２のアクティブ接続が第２のボイス呼を備え、
ここにおいて、競合を緩和するための前記手段が、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にするように構成された、請求項１２に記載のユーザ機器。
【請求項１７】
前記第１のアクティブ接続がボイス呼を備え、前記第２のアクティブ接続がデータ呼を備え、
ここにおいて、競合を緩和するための前記手段は、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、    前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
を行うように構成された、請求項１２に記載のユーザ機器。
【請求項１８】
ワイヤレス通信のためのユーザ機器（ＵＥ）であって、
第１のサブスクリプションに関連する第１のアクティブ接続を確立するための手段と、  前記第１のアクティブ接続と同時に、第２のサブスクリプションに関連する第２のアクティブ接続を確立するための手段と、
前記ＵＥのモデムによって決定された前記第１のアクティブ接続および前記第２のアクティブ接続のそれぞれの接続品質に基づいて、前記モデムによって行われた決定に従って前記第１のアクティブ接続または前記第２のアクティブ接続の少なくとも一方を劣化させることによって、前記第１のアクティブ接続と前記第２のアクティブ接続との間の競合を緩和するための手段と
を備える、ユーザ機器。
【請求項１９】
前記接続品質が、エラーレート、チャネル品質、要求されたデータレート、利用可能なデータレート、受信電力、送信電力ヘッドルーム、またはラウンドトリップ時間のうちの少なくとも１つを備える、請求項１８に記載のユーザ機器。
【請求項２０】
競合を緩和するための前記手段が、
前記第１のアクティブ接続および前記第２のアクティブ接続の一方に、他方に勝る優先度を付けるための手段、
前記第１のアクティブ接続または前記第２のアクティブ接続の少なくとも一方をスロットリングするための手段、または
前記第１のアクティブ接続または前記第２のアクティブ接続の少なくとも一方を保留にするための手段
のうちの少なくとも１つを備える、請求項１８に記載のユーザ機器。
【請求項２１】
前記第１のアクティブ接続が第１のボイス呼を備え、前記第２の接続が第２のボイス呼を備え、
ここにおいて、競合を緩和するための前記手段が、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にするように構成された、請求項１８に記載のユーザ機器。
【請求項２２】
前記モデムによって行われた前記決定が、前記ＵＥのオペレーティングシステムまたはユーザによって行われない、請求項１８に記載のユーザ機器。
【請求項２３】
ワイヤレス通信のためのユーザ機器（ＵＥ）であって、
第１のサブスクリプションに関連する第１のアクティブ接続を確立するように構成された第１のサブスクリプションアクセス回路と、
前記第１のアクティブ接続と同時に、第２のサブスクリプションに関連する第２のアクティブ接続を確立するように構成された第２のサブスクリプションアクセス回路と、
前記第１のアクティブ接続と前記第２のアクティブ接続との接続品質に対応するモデム情報を前記ＵＥのオペレーティングシステムに与えるように構成されたモデム回路と、    前記モデム回路から前記モデム情報を受信することと、
前記モデム情報に基づいて前記オペレーティングシステムによって行われた決定に従って前記第１のアクティブ接続または前記第２のアクティブ接続の少なくとも一方を劣化させることによって、前記第１のアクティブ接続と前記第２のアクティブ接続との間の競合を緩和することと
を行うように構成された少なくとも１つのプロセッサと
を備える、ユーザ機器。
【請求項２４】
前記接続品質が、前記第１の接続または前記第２の接続に対応するエラーレート、チャネル品質、要求されたデータレート、利用可能なデータレート、受信電力、送信電力ヘッドルーム、またはラウンドトリップ時間のうちの少なくとも１つを備える、請求項２３に記載のユーザ機器。
【請求項２５】
前記第１のアクティブ接続および前記第２のアクティブ接続に関する情報を前記ＵＥのユーザに与えることと、
前記第１のアクティブ接続および前記第２のアクティブ接続のいずれが劣化されるべきかに関する前記ユーザからの入力を受信することと
を行うように構成されたユーザ制御回路をさらに備え、
ここにおいて、前記少なくとも１つのプロセッサが、
前記ユーザからの前記入力に従って、競合を緩和するための前記決定を行う
ようにさらに構成された、請求項２３に記載のユーザ機器。
【請求項２６】
前記少なくとも１つのプロセッサが、
前記第１のアクティブ接続または前記第２のアクティブ接続の一方に、他方に勝る優先度を付けること、
前記第１のアクティブ接続または前記第２のアクティブ接続の少なくとも一方のデータをスロットリングすること、または
前記第１のアクティブ接続または前記第２のアクティブ接続の少なくとも一方を保留にすること
のうちの少なくとも１つによって競合を緩和するようにさらに構成された、請求項２３に記載のユーザ機器。
【請求項２７】
前記第１のアクティブ接続が第１のボイス呼を備え、前記第２のアクティブ接続が第２のボイス呼を備え、
ここにおいて、前記少なくとも１つのプロセッサが、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にするようにさらに構成された、請求項２３に記載のユーザ機器。
【請求項２８】
前記第１のアクティブ接続がボイス呼を備え、前記第２の接続がデータ呼を備え、
ここにおいて、前記少なくとも１つのプロセッサは、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、    前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
を行うようにさらに構成された、請求項２３に記載のユーザ機器。
【請求項２９】
ワイヤレス通信のためのユーザ機器（ＵＥ）であって、
第１のサブスクリプションに関連する第１のアクティブ接続を確立するように構成された第１のサブスクリプションアクセス回路と、
前記第１のアクティブ接続と同時に、第２のサブスクリプションに関連する第２のアクティブ接続を確立するように構成された第２のサブスクリプションアクセス回路と、
モデム回路によって決定された前記第１のアクティブ接続および前記第２のアクティブ接続のそれぞれの接続品質に基づいて、前記モデム回路によって行われた決定に従って前記第１のアクティブ接続または前記第２のアクティブ接続の少なくとも一方を劣化させることによって、前記第１のアクティブ接続と前記第２のアクティブ接続との間の競合を緩和するように構成された前記モデム回路と
を備える、ユーザ機器。
【請求項３０】
前記接続品質が、エラーレート、チャネル品質、要求されたデータレート、利用可能なデータレート、受信電力、送信電力ヘッドルーム、またはラウンドトリップ時間のうちの少なくとも１つを備える、請求項２９に記載のユーザ機器。
【請求項３１】
前記モデム回路が、
前記第１のアクティブ接続および前記第２のアクティブ接続の一方に、他方に勝る優先度を付けること、
前記第１のアクティブ接続または前記第２のアクティブ接続の少なくとも一方をスロットリングすること、または
前記第１のアクティブ接続または前記第２のアクティブ接続の少なくとも一方を保留にすること
のうちの少なくとも１つによって競合を緩和するようにさらに構成された、請求項２９に記載のユーザ機器。
【請求項３２】
前記第１のアクティブ接続が第１のボイス呼を備え、前記第２の接続が第２のボイス呼を備え、
ここにおいて、前記モデム回路が、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にするようにさらに構成された、請求項２９に記載のユーザ機器。
【請求項３３】
前記モデム回路によって行われた前記決定が、前記ＵＥのオペレーティングシステムまたはユーザによって行われない、請求項２９に記載のユーザ機器。
【請求項３４】
ワイヤレス通信のためのユーザ機器（ＵＥ）に、
第１のサブスクリプションに関連する第１のアクティブ接続を確立することと、
前記第１のアクティブ接続と同時に、第２のサブスクリプションに関連する第２のアクティブ接続を確立することと、
前記第１のアクティブ接続と前記第２のアクティブ接続との接続品質に対応するモデム情報を前記ＵＥのオペレーティングシステムに与えることと、
前記モデム情報に基づいて前記オペレーティングシステムによって行われた決定に従って前記第１のアクティブ接続または前記第２のアクティブ接続の少なくとも一方を劣化させることによって、前記第１のアクティブ接続と前記第２のアクティブ接続との間の競合を緩和することと
を行わせるためのコードを備えるコンピュータ可読媒体。
【請求項３５】
前記接続品質が、前記第１の接続または前記第２の接続に対応するエラーレート、チャネル品質、要求されたデータレート、利用可能なデータレート、受信電力、送信電力ヘッドルーム、またはラウンドトリップ時間のうちの少なくとも１つを備える、請求項３４に記載のコンピュータ可読媒体。
【請求項３６】
前記コードが、前記ＵＥに、
前記第１のアクティブ接続および前記第２のアクティブ接続に関する情報を前記ＵＥのユーザに与えることと、
前記第１のアクティブ接続および前記第２のアクティブ接続のいずれが劣化されるべきかに関する前記ユーザからの入力を受信することと、
前記ユーザからの前記入力に従って、競合を緩和するための前記決定を行うことと
をさらに行わせる、請求項３４に記載のコンピュータ可読媒体。
【請求項３７】
前記コードが、前記ＵＥに、
前記第１のアクティブ接続または前記第２のアクティブ接続の一方に、他方に勝る優先度を付けること、
前記第１のアクティブ接続または前記第２のアクティブ接続の少なくとも一方のデータをスロットリングすること、または
前記第１のアクティブ接続または前記第２のアクティブ接続の少なくとも一方を保留にすること
のうちの少なくとも１つによって競合を緩和することをさらに行わせる、請求項３４に記載のコンピュータ可読媒体。
【請求項３８】
前記第１のアクティブ接続が第１のボイス呼を備え、前記第２のアクティブ接続が第２のボイス呼を備え、
ここにおいて、前記コードが、前記ＵＥに、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にすることをさらに行わせる、請求項３４に記載のコンピュータ可読媒体。
【請求項３９】
前記第１のアクティブ接続がボイス呼を備え、前記第２のアクティブ接続がデータ呼を備え、
ここにおいて、前記コードは、前記ＵＥに、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、    前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
をさらに行わせる、請求項３４に記載のコンピュータ可読媒体。
【請求項４０】
ワイヤレス通信のためのユーザ機器（ＵＥ）に、
第１のサブスクリプションに関連する第１のアクティブ接続を確立することと、
前記第１のアクティブ接続と同時に、第２のサブスクリプションに関連する第２のアクティブ接続を確立することと、
前記ＵＥのモデムによって決定された前記第１のアクティブ接続および前記第２のアクティブ接続のそれぞれの接続品質に基づいて、前記モデムによって行われた決定に従って前記第１のアクティブ接続または前記第２のアクティブ接続の少なくとも一方を劣化させることによって、前記第１のアクティブ接続と前記第２のアクティブ接続との間の競合を緩和することと
を行わせるためのコードを備えるコンピュータ可読媒体。
【請求項４１】
前記接続品質が、エラーレート、チャネル品質、要求されたデータレート、利用可能なデータレート、受信電力、送信電力ヘッドルーム、またはラウンドトリップ時間のうちの少なくとも１つを備える、請求項４０に記載のコンピュータ可読媒体。
【請求項４２】
前記コードが、前記ＵＥに、
前記第１のアクティブ接続および前記第２のアクティブ接続の一方に、他方に勝る優先度を付けること、
前記第１のアクティブ接続または前記第２のアクティブ接続の少なくとも一方をスロットリングすること、または
前記第１のアクティブ接続または前記第２のアクティブ接続の少なくとも一方を保留にすること
のうちの少なくとも１つによって競合を緩和することをさらに行わせる、請求項４０に記載のコンピュータ可読媒体。
【請求項４３】
前記第１のアクティブ接続が第１のボイス呼を備え、前記第２のアクティブ接続が第２のボイス呼を備え、
ここにおいて、前記コードが、前記ＵＥに、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にすることをさらに行わせる、請求項４０に記載のコンピュータ可読媒体。
【請求項４４】
前記モデムによって行われた前記決定が、前記ＵＥのオペレーティングシステムまたはユーザによって行われない、請求項４０に記載のコンピュータ可読媒体。
【発明の詳細な説明】
【技術分野】
【０００１】
関連出願の相互参照
[0001]本出願は、その内容全体が参照により本明細書に組み込まれる、２０１４年５月２１日に米国特許商標庁に出願された米国非仮特許出願第１４／２８４，０５３号の優先権および利益を主張する。
【０００２】
[0002]以下で説明する技術は、一般にワイヤレス通信システムに関し、より詳細には、少なくとも２つのサブスクリプションと同時に動作する能力があるワイヤレス端末および同様の方法に関する。
【背景技術】
【０００３】
[0003]ワイヤレス通信ネットワークは、電話、ビデオ、データ、メッセージング、ブロードキャストなどの様々な通信サービスを提供するために広く展開されている。通常、多元接続ネットワークである、そのようなネットワークは、利用可能なネットワークリソースを共有することによって複数のユーザのための通信をサポートする。そのようなネットワークの一例は、ＵＭＴＳ地上波無線アクセスネットワーク（ＵＴＲＡＮ：UMTS Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。
【０００４】
[0004]概して、ＵＭＴＳのために構成されたワイヤレスユーザ機器（ＵＥ）（様々な文献では移動局（ＭＳ）、モバイル端末（ＭＴ）、アクセス端末（ＡＴ）などとも呼ばれる）は、加入者識別情報を記憶するために、ならびに他のセキュリティおよび認証目的でユニバーサル集積回路カード（ＵＩＣＣ：Universal Integrated Circuit Card）（一般にＳＩＭカードと呼ばれる）を使用する。より最近では、いくつかのＵＥは、デバイスのユーザが２つまたはそれ以上のセルラーサブスクリプション上でボイス呼および／またはデータ呼に同時に関与することができるように、２つまたはそれ以上のＵＩＣＣまたはＳＩＭカードを有する。これらのサブスクリプションは同じネットワークまたは異なるネットワーク上にあり得る。
【０００５】
[0005]複数のＳＩＭカードをもつＵＥは、一般にマルチＳＩＭデバイスと呼ばれる。いくつかのマルチＳＩＭ  ＵＥは、複数のサブスクリプションに同時にアクセスするために無線周波数（ＲＦ）リソース（たとえば、モデム、トランシーバなど）を共有する。マルチＳＩＭデバイスの１つのカテゴリーはデュアルＳＩＭデュアルアクティブ（ＤＳＤＡ：dual-SIM dual active）デバイスと呼ばれる。ＤＳＤＡデバイスは、トラフィックモードにおいて２つのサブスクリプション上で同時にアクティブであり得、したがって共存問題を呈し得る。
【発明の概要】
【０００６】
[0006]上述のように、本特許出願で説明する技術は、複数のアクティブ接続とともに動作するように構成されたワイヤレス通信デバイスおよび方法に関する。いくつかのシナリオでは、複数のアクティブ接続により競合問題が発生し得る。競合が発生したとき、デバイス性能が劣化し、それによりユーザエクスペリエンスに影響を及ぼし得る。本発明のいくつかの実施形態は、以下でより詳細に説明するように、競合影響を低下させ、および／または除去する方法として、ユーザまたは通信デバイス上のオペレーティングシステムが、１つまたは複数の様々なファクタに基づいて接続（またはサブスクリプション）に優先度を付けることを可能にし、提供する。
【０００７】
[0007]以下で、本開示の１つまたは複数の態様の基本的理解を与えるために、そのような態様の簡略化された概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を簡略化された形で提示することである。
【０００８】
[0008]本発明の一実施形態では、ユーザ機器（ＵＥ）において動作可能なワイヤレス通信の方法が提供される。ＵＥは、第１のサブスクリプションに関連する第１のアクティブ接続を確立し、第１のアクティブ接続と同時に、第２のサブスクリプションに関連する第２のアクティブ接続を確立する。ＵＥは、第１のアクティブ接続と第２のアクティブ接続との接続品質に対応するモデム情報をＵＥのオペレーティングシステムに与え、モデム情報に基づいてオペレーティングシステムによって与えられた決定に従って第１のアクティブ接続または第２のアクティブ接続の少なくとも一方を劣化させることによって、第１のアクティブ接続と第２のアクティブ接続との間の競合を緩和する。
【０００９】
[0009]本発明の別の実施形態は、ユーザ機器（ＵＥ）において動作可能なワイヤレス通信の方法を提供する。ＵＥは、第１のサブスクリプションに関連する第１のアクティブ接続を確立し、第１のアクティブ接続と同時に、第２のサブスクリプションに関連する第２のアクティブ接続を確立する。ＵＥは、ＵＥのモデムによって決定された第１のアクティブ接続および第２のアクティブ接続のそれぞれの接続品質に基づいて、モデムによって行われた決定に従って第１のアクティブ接続または第２のアクティブ接続の少なくとも一方を劣化させることによって、第１のアクティブ接続と第２のアクティブ接続との間の競合を緩和する。
【００１０】
[0010]本発明の別の実施形態は、ワイヤレス通信のためのユーザ機器（ＵＥ）を提供する。ＵＥは、第１のサブスクリプションに関連する第１のアクティブ接続を確立するように構成された第１のサブスクリプションアクセス回路と、第１のアクティブ接続と同時に、第２のサブスクリプションに関連する第２のアクティブ接続を確立するように構成された第２のサブスクリプションアクセス回路とを含む。ＵＥは、第１のアクティブ接続と第２のアクティブ接続との接続品質に対応するモデム情報をＵＥのオペレーティングシステムに与えるように構成されたモデム回路と、少なくとも１つのプロセッサとをさらに含む。少なくとも１つのプロセッサは、モデム回路からモデム情報を受信することと、モデム情報に基づいてオペレーティングシステムによって与えられた決定に従って第１のアクティブ接続または第２のアクティブ接続の少なくとも一方を劣化させることによって、第１のアクティブ接続と第２のアクティブ接続との間の競合を緩和することとを行うように構成される。
【００１１】
[0011]本発明の別の実施形態は、ワイヤレス通信のためのユーザ機器（ＵＥ）を提供する。ＵＥは、第１のサブスクリプションに関連する第１のアクティブ接続を確立するように構成された第１のサブスクリプションアクセス回路と、第１のアクティブ接続と同時に、第２のサブスクリプションに関連する第２のアクティブ接続を確立するように構成された第２のサブスクリプションアクセス回路とを含む。ＵＥは、モデム回路によって決定された第１のアクティブ接続および第２のアクティブ接続のそれぞれの接続品質に基づいて、モデム回路によって行われた決定に従って第１のアクティブ接続または第２のアクティブ接続の少なくとも一方を劣化させることによって、第１のアクティブ接続と第２のアクティブ接続との間の競合を緩和するように構成されたモデム回路をさらに含む。
【００１２】
[0012]本発明の別の実施形態は、ワイヤレス通信のためのユーザ機器（ＵＥ）に、第１のサブスクリプションに関連する第１のアクティブ接続を確立することと、第１のアクティブ接続と同時に、第２のサブスクリプションに関連する第２のアクティブ接続を確立することとを行わせるためのコードを含むコンピュータ可読媒体を提供する。コードは、ＵＥに、第１のアクティブ接続と第２のアクティブ接続との接続品質に対応するモデム情報をＵＥのオペレーティングシステムに与えることと、モデム情報に基づいてオペレーティングシステムによって与えられた決定に従って第１のアクティブ接続または第２のアクティブ接続の少なくとも一方を劣化させることによって、第１のアクティブ接続と第２のアクティブ接続との間の競合を緩和することとをさらに行わせる。
【００１３】
[0013]本発明の別の実施形態は、ワイヤレス通信のためのユーザ機器（ＵＥ）に、第１のサブスクリプションに関連する第１のアクティブ接続を確立することと、第１のアクティブ接続と同時に、第２のサブスクリプションに関連する第２のアクティブ接続を確立することとを行わせるためのコードを含むコンピュータ可読媒体を提供する。コードは、ＵＥに、ＵＥのモデムによって決定された第１のアクティブ接続および第２のアクティブ接続のそれぞれの接続品質に基づいて、モデムによって行われた決定に従って第１のアクティブ接続または第２のアクティブ接続の少なくとも一方を劣化させることによって、第１のアクティブ接続と第２のアクティブ接続との間の競合を緩和することをさらに行わせる。
【００１４】
[0014]本発明のこれらおよび他の態様は、以下の発明を実施するための形態を検討すればより十分に理解されよう。本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１５】
【図１】[0015]電気通信システムの一例を概念的に示すブロック図。
【図２】[0016]アクセスネットワークの一例を示す概念図。
【図３】[0017]ユーザプレーンおよび制御プレーンのための無線プロトコルアーキテクチャの一例を示す概念図。
【図４】[0018]本開示の態様による、複数のサブスクリプションとの同時接続を確立するためにモデム支援型競合ハンドリングを使用するように構成されたデュアルＳＩＭおよびデュアルアクティブ（ＤＳＤＡ）ユーザ機器（ＵＥ）を示す概念図。
【図５】[0019]本開示の態様による、オペレーティングシステムによって与えられた決定に基づいて同時接続間の競合を緩和する方法を示すフローチャート。
【図６】[0020]本開示の一態様による、競合緩和技法の例を示すフローチャート。
【図７】[0021]本開示の一態様による、同時のデータ接続とボイス接続との間の競合を緩和するプロセスを示すフローチャート。
【図８】[0022]本開示の一態様による、ＵＥのモデムによって行われた決定に基づいてＵＥにおいて同時接続間の競合を緩和するプロセスを示すフローチャート。
【図９】[0023]本開示の一態様による、デュアルボイス呼管理プロセスの一例を示す図。
【図１０】[0024]本開示の一態様による、ボイス呼およびデータ呼管理プロセスの一例を示す図。
【図１１】[0025]本開示の別の態様による、同時ボイス呼およびデータ呼管理プロセスの第１の例を示す図。
【図１２】[0026]本開示の別の態様による、同時ボイス呼およびデータ呼管理プロセスの第２の例を示す図。
【図１３】[0027]本開示の別の態様による、同時ボイス呼およびデータ呼管理プロセスの第３の例を示す図。
【図１４】[0028]本開示の別の態様による、同時ボイス呼およびデータ呼管理プロセスの第４の例を示す図。
【図１５】[0029]本開示の一態様による、処理システムを採用する装置のためのハードウェア実装形態の一例を示すブロック図。
【発明を実施するための形態】
【００１６】
[0030]本開示の１つまたは複数の態様は、共通ＲＦリソースを共有するとき、２つまたはそれ以上のサブスクリプション上で同時接続を確立することができるＵＥを提供する。サブスクリプションは、ＧＳＭ（登録商標）、Ｗ−ＣＤＭＡ（登録商標）、ＣＤＭＡ２０００、ロングタームエボリューション（ＬＴＥ（登録商標））など、同じまたは異なる無線アクセス技術（ＲＡＴ）を使用していることがある。本開示の一態様では、ＵＥはマルチＳＩＭデバイス（たとえば、ＤＳＤＡデバイス）であり得る。本開示の様々な態様では、ＵＥは、通信アクティビティの劣化を緩和することができるインテリジェント様式でＵＥのＲＦリソースを共有することによって、複数のサブスクリプション上で通信アクティビティの同時動作を達成することができる。本開示のいくつかの態様では、ユーザまたはＵＥのオペレーティングシステムが、ユーザエクスペリエンスを著しく劣化させることなしに競合をハンドリングするために、モデムによって与えられたリンク情報に基づいて決定を行い得る。本開示の他の態様では、モデム自体が、ユーザエクスペリエンスを改善するか、または競合からのネットワークへの影響を緩和するために、検出された無線リンク情報に従って通信リンクの属性を制御し得る。
【００１７】
[0031]本開示全体にわたって提示する様々な概念は、多種多様な電気通信システム、ネットワークアーキテクチャ、および通信規格にわたって実装され得る。次に図１を参照すると、限定はしないが例示的な例として、ユニバーサルモバイルテレコミュニケーションズシステム（ＵＭＴＳ）ネットワーク１００に関して本開示の様々な態様が示されている。ＵＭＴＳネットワークは、３つの対話ドメイン、コアネットワーク１０４と、無線アクセスネットワーク（ＲＡＮ）（たとえば、ＵＭＴＳ地上波無線アクセスネットワーク（ＵＴＲＡＮ）１０２）と、ユーザ機器（ＵＥ）１１０とを含む。ＵＴＲＡＮ１０２のために利用可能ないくつかのオプションの中で、この例では、図示されたＵＴＲＡＮ１０２は、電話、ビデオ、データ、メッセージング、ブロードキャスト、および／または他のサービスを含む様々なワイヤレスサービスを可能にするためのＷ−ＣＤＭＡエアインターフェースを採用し得る。ＵＴＲＡＮ１０２は、無線ネットワークコントローラ（ＲＮＣ：Radio Network Controller）１０６などのそれぞれのＲＮＣによって各々が制御される、無線ネットワークサブシステム（ＲＮＳ：Radio Network Subsystem）１０７などの複数のＲＮＳを含み得る。ここで、ＵＴＲＡＮ１０２は、図示されたＲＮＣ１０６およびＲＮＳ１０７に加えて、任意の数のＲＮＣ１０６およびＲＮＳ１０７を含み得る。ＲＮＣ１０６は、特に、ＲＮＳ１０７内で無線リソースを割り当て、再構成し、解放することを担当する装置である。ＲＮＣ１０６は、任意の好適なトランスポートネットワークを使用して、直接物理接続、仮想ネットワークなど、様々なタイプのインターフェースを介してＵＴＲＡＮ１０２中の他のＲＮＣ（図示せず）と相互接続され得る。
【００１８】
[0032]本開示のいくつかの態様では、ＵＴＲＡＮエアインターフェースは、Ｗ−ＣＤＭＡ規格を利用するものなど、スペクトラム拡散直接シーケンス符号分割多元接続（ＤＳ−ＣＤＭＡ：Direct-Sequence Code Division Multiple Access）システムであり得る。スペクトラム拡散ＤＳ−ＣＤＭＡは、チップと呼ばれる擬似ランダムビットのシーケンスによる乗算によって、ユーザデータを拡散する。ＵＴＲＡＮ１０２のためのＷ−ＣＤＭＡエアインターフェースは、そのようなＤＳ−ＣＤＭＡ技術に基づいており、さらに周波数分割複信（ＦＤＤ）を必要とする。ＦＤＤは、ノードＢ１０８とＵＥ１１０との間のアップリンク（ＵＬ）およびダウンリンク（ＤＬ）に対して異なる搬送周波数を使用する。ＤＳ−ＣＤＭＡを利用し、時分割複信（ＴＤＤ）を使用する、ＵＭＴＳのための別のエアインターフェースは、ＴＤ−ＳＣＤＭＡエアインターフェースである。本明細書で説明する様々な例はＷ−ＣＤＭＡエアインターフェースに言及することがあるが、基礎をなす原理はＴＤ−ＳＣＤＭＡエアインターフェースまたは他の好適なエアインターフェースに等しく適用可能であることを、当業者は認識されよう。
【００１９】
[0033]ＲＮＳ１０７によってカバーされる地理的領域は、いくつかのセルに分割され得、無線トランシーバ装置が各セルをサービスし得る。無線トランシーバ装置は、ＵＭＴＳ適用例では一般にノードＢと呼ばれるが、当業者によって、基地局（ＢＳ）、基地トランシーバ局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または何らかの他の好適な用語で呼ばれることもある。明快のために、各ＲＮＳ１０７中に３つのノードＢ１０８が示されているが、ＲＮＳ１０７は任意の数のワイヤレスノードＢを含み得る。ノードＢ１０８は、任意の数のモバイル装置にコアネットワーク１０４へのワイヤレスアクセスポイントを与える。モバイル装置の例としては、セルラーフォン、スマートフォン、スマートウォッチ、セッション開始プロトコル（ＳＩＰ）フォン、ラップトップ、コンピューティングデバイス、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（たとえば、ＭＰ３プレーヤ）、カメラ、ゲーム機、タブレットコンピュータ、エンターテインメントデバイス、車両構成要素、または任意の他の同様の機能デバイスがある。モバイル装置は、ＵＭＴＳ適用例では一般にユーザ機器（ＵＥ）と呼ばれるが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の好適な用語で呼ばれることもある。ＵＭＴＳシステムでは、ＵＥ１１０は、加入者の識別情報を記憶し、ユーザのサブスクリプション情報をネットワークに与え、ならびに他のセキュリティおよび認証役割を実施する、汎用加入者識別モジュール（ＵＳＩＭ：universal subscriber identity module）またはＳＩＭをさらに含み得る。本開示の一態様では、ＵＥ１１０は、異なるサブスクリプションに関連付けられた第１のＵＳＩＭ１１１Ａと第２のＵＳＩＭ１１１Ｂとを含む複数のＵＳＩＭを有し得る。本開示の一態様では、サブスクリプションは、ネットワーク１００と同様のまたはそれとは異なる、様々なネットワークに関連付けられ得る。説明の目的で、同じまたは異なるサブスクリプションに関連付けられ得るいくつかのノードＢ１０８と通信している１つのＵＥ１１０が示されている。順方向リンクとも呼ばれるダウンリンク（ＤＬ）は、ノードＢ１０８からＵＥ１１０への通信リンクを指し、逆方向リンクとも呼ばれるアップリンク（ＵＬ）は、ＵＥ１１０からノードＢ１０８への通信リンクを指す。
【００２０】
[0034]コアネットワーク１０４は、ＵＴＲＡＮ１０２など、１つまたは複数のアクセスネットワークとインターフェースすることができる。図示のように、コアネットワーク１０４はＵＭＴＳコアネットワークである。ただし、当業者が認識するように、本開示全体にわたって提示する様々な概念は、ＣＤＭＡ２０００およびＬＴＥネットワークなど、ＵＭＴＳネットワーク以外のタイプのコアネットワークへのアクセスをＵＥに与えるために、ＲＡＮ、または他の好適なアクセスネットワークにおいて実装され得る。
【００２１】
[0035]図示されたＵＭＴＳコアネットワーク１０４は回線交換（ＣＳ：circuit-switched）ドメインとパケット交換（ＰＳ：packet-switched）ドメインとを含む。回線交換要素のいくつかは、モバイルサービス交換センター（ＭＳＣ：Mobile services Switching Centre）、ビジターロケーションレジスタ（ＶＬＲ：Visitor Location Register）、およびゲートウェイＭＳＣ（ＧＭＳＣ：Gateway MSC）である。パケット交換要素は、サービングＧＰＲＳサポートノード（ＳＧＳＮ：Serving GPRS Support Node）と、ゲートウェイＧＰＲＳサポートノード（ＧＧＳＮ：Gateway GPRS Support Node）とを含む。ＥＩＲ、ＨＬＲ、ＶＬＲ、およびＡｕＣのような、いくつかのネットワーク要素は、回線交換ドメインとパケット交換ドメインの両方によって共有され得る。
【００２２】
[0036]図示された例では、コアネットワーク１０４は、ＭＳＣ１１２およびＧＭＳＣ１１４とともに回線交換サービスをサポートする。いくつかの適用例では、ＧＭＳＣ１１４はメディアゲートウェイ（ＭＧＷ）と呼ばれることがある。ＲＮＣ１０６などの１つまたは複数のＲＮＣはＭＳＣ１１２に接続され得る。ＭＳＣ１１２は、呼設定機能と、呼ルーティング機能と、ＵＥモビリティ機能とを制御する装置である。ＭＳＣ１１２はまた、ＵＥがＭＳＣ１１２のカバレージエリア中にある持続時間の間の加入者関係情報を含んでいるビジターロケーションレジスタ（ＶＬＲ）を含む。ＧＭＳＣ１１４は、ＵＥが回線交換ネットワーク１１６にアクセスするために、ＭＳＣ１１２を介したゲートウェイを与える。ＧＭＳＣ１１４は、特定のユーザが加入したサービスの詳細を反映するデータなどの加入者データを含んでいるホームロケーションレジスタ（ＨＬＲ：home location register）１１５を含む。また、ＨＬＲは、加入者固有の認証データを含んでいる認証センター（ＡｕＣ：authentication center）に関連付けられる。特定のＵＥのための呼が受信されると、ＧＭＳＣ１１４は、ＵＥのロケーションを決定するためにＨＬＲ１１５に問い合わせ、そのロケーションをサービスする特定のＭＳＣに呼をフォワーディングする。
【００２３】
[0037]図示されたコアネットワーク１０４は、サービングＧＰＲＳサポートノード（ＳＧＳＮ）１１８およびゲートウェイＧＰＲＳサポートノード（ＧＧＳＮ）１２０とともにパケット交換データサービスをもサポートする。汎用パケット無線サービス（ＧＰＲＳ：General Packet Radio Service）は、標準の回線交換データサービスで利用可能な速度よりも速い速度で、パケットデータサービスを提供するように設計されている。ＧＧＳＮ１２０は、ＵＴＲＡＮ１０２にパケットベースネットワーク１２２への接続を与える。パケットベースネットワーク１２２は、インターネット、プライベートデータネットワーク、または何らかの他の好適なパケットベースネットワークであり得る。ＧＧＳＮ１２０の主要機能は、ＵＥ１１０にパケットベースネットワーク接続性を与えることである。データパケットは、ＳＧＳＮ１１８を通してＧＧＳＮ１２０とＵＥ１１０との間で転送され得、ＳＧＳＮ１１８は、主に、ＭＳＣ１１２が回線交換ドメインで実施するのと同じ機能をパケットベースドメインで実施する。
【００２４】
[0038]図示されたＵＥ１１０は、２つのＵＳＩＭ１１１Ａおよび１１１Ｂを含むが、これは本質的に例示にすぎず、ＵＥは任意の好適な数のＵＳＩＭを含み得ることを当業者は理解されよう。ＵＳＩＭは、ソフトウェア、ハードウェア、またはソフトウェアとハードウェアとの組合せであり得る。複数のＵＳＩＭを有するＵＥ１１０などのＵＥはマルチＳＩＭデバイスと呼ばれることがあり、２つのＵＳＩＭをもつ１つの特定の例はＤＳＤＡデバイスと呼ばれる。ＤＳＤＡデバイスは、ＵＥ１１０のＲＦリソース（たとえば、トランシーバ）を共有しながら、２つのネットワーク（またはサブスクリプション）との同時接続を確立することが可能である。このようにして、アクティブデータ呼および／またはボイス呼が、単一のＤＳＤＡデバイスを用いてネットワークまたはサブスクリプションの両方上で同時に確立され得る。
【００２５】
[0039]上記で説明したように、図示されたＵＥ１１０は、ＵＭＴＳネットワーク１００および別のネットワークと同時に接続されることが可能なＤＳＤＡデバイスの一例である。本開示の範囲内で、２つ以上の無線アクセス技術（ＲＡＴ）を利用して同様の機能が達成され得、ここにおいて、ＵＥは、２つまたはそれ以上の異なるＲＡＴを使用して、２つまたはそれ以上のサブスクリプション上で同時接続を確立することができる。たとえば、本開示の様々な態様では、ＵＥ１１０は、任意の好適なＲＡＴを使用して、ＧＳＭネットワーク、ＵＭＴＳネットワーク、ＬＴＥネットワーク、ＣＤＭＡ２０００ネットワーク、Ｗｉ−ＭＡＸネットワークのうちの１つまたは複数上で同時接続を確立し得る。本開示内で、任意の１つまたは任意の複数のＲＡＴ上の２つまたはそれ以上のサブスクリプション上で同時接続を確立することが可能なデバイスは、一般にデュアルＳＩＭデバイスまたはＤＳＤＡデバイスと呼ばれることがある。ＤＳＤＡデバイスでは、たとえば、両方のアクティブ接続が、データ呼またはボイス呼のための情報を送信する際に同時にアクティブであり得る。
【００２６】
[0040]ＵＴＲＡＮ１０２は、本開示に従って利用され得るＲＡＮの一例である。図２を参照すると、例として、および限定はしないが、ＵＴＲＡＮアーキテクチャにおけるＲＡＮ２００の簡略化された概略図が示されている。システムは、１つまたは複数のセクタを各々が含み得る、セル２０２、２０４、および２０６を含む、複数のセルラー領域（セル）を含む。セルは、（たとえば、カバレージエリアによって）地理的に定義され得、および／または周波数、スクランブリングコードなどに従って定義され得る。すなわち、図示された地理的に定義されたセル２０２、２０４、および２０６は各々、たとえば、異なるスクランブリングコードを利用することによって、複数のセルにさらに分割され得る。たとえば、第１のセルは第１のスクランブリングコードを利用し得、第２のセルは、同じ地理的領域中にあり、同じノードＢ２４４によってサービスされている間、第２のスクランブリングコードを利用することによって区別され得る。
【００２７】
[0041]セクタに分割されたセルにおいて、セル内の複数のセクタはアンテナのグループによって形成され得、各アンテナは、セルの一部分におけるＵＥとの通信を担当する。たとえば、セル２０２において、アンテナグループ２１２、２１４、および２１６は各々異なるセクタに対応し得る。セル２０４において、アンテナグループ２１８、２２０、および２２２は各々異なるセクタに対応し得る。セル２０６において、アンテナグループ２２４、２２６、および２２８は各々異なるセクタに対応し得る。
【００２８】
[0042]セル２０２、２０４、および２０６は、各セル２０２、２０４、または２０６の１つまたは複数のセクタと通信していることがあるいくつかのＵＥを含み得る。たとえば、ＵＥ２３０および２３２はノードＢ２４２と通信していることがあり、ＵＥ２３４および２３６はノードＢ２４４と通信していることがあり、ＵＥ２３８および２４０はノードＢ２４６と通信していることがある。ここで、各ノードＢ２４２、２４４、および２４６は、それぞれのセル２０２、２０４、および２０６中のすべてのＵＥ２３０、２３２、２３４、２３６、２３８、および２４０に１つまたは複数のコアネットワーク（たとえば、図１のコアネットワーク１０４）へのアクセスポイントを与えるように構成され得る。
【００２９】
[0043]ＵＥ２３０、２３２、２３４、２３６、２３８、および２４０のいずれかは図１のＵＥ１１０であり得る。本開示のいくつかの態様では、図２のＵＥのいずれかは、異なるＲＡＴのうちの同じものを使用して、対応するネットワークにそれぞれ関連する複数のサブスクリプションと同時に接続することが可能なＤＳＤＡデバイスであり得る。
【００３０】
[0044]ソースセルとの呼中に、または任意の他の時間に、ＵＥ２３６は、ソースセルの様々なパラメータ、ならびに近隣セルの様々なパラメータを監視し得る。さらに、これらのパラメータの品質に応じて、ＵＥ２３６は、近隣セルのうちの１つまたは複数との通信を維持し得る。この時間中に、ＵＥ２３６は、アクティブセット、すなわち、ＵＥ２３６が同時に接続されるセルのリストを維持し得る（すなわち、現在ＵＥ２３６にダウンリンク専用物理チャネル（downlink dedicated physical channel）ＤＰＣＨまたはフラクショナルダウンリンク専用物理チャネル（fractional downlink dedicated physical channel）Ｆ−ＤＰＣＨを割り当てているＵＴＲＡＮセルはアクティブセットを構成し得る）。ワイヤレス電気通信システムでは、通信プロトコルアーキテクチャは、特定の適用例に応じて様々な形態をとり得る。たとえば、３ＧＰＰ  ＵＭＴＳシステムでは、シグナリングプロトコルスタックは非アクセス層（ＮＡＳ：Non-Access Stratum）とアクセス層（ＡＳ：Access Stratum）とに分割される。ＮＡＳは、ＵＥ１１０とコアネットワーク１０４との間のシグナリング（図１参照）のための上位レイヤを与え、回線交換プロトコルとパケット交換プロトコルとを含み得る。ＡＳは、ＵＴＲＡＮ１０２とＵＥ１１０との間のシグナリングのための下位レイヤを与え、ユーザプレーンと制御プレーンとを含み得る。ここで、ユーザプレーンまたはデータプレーンはユーザトラフィックを搬送し、制御プレーンは制御情報（すなわち、シグナリング）を搬送する。
【００３１】
[0045]図３は、図１、図２、図４、および／または図１５のＵＥのいずれかにおいて適応され得る、ユーザプレーンおよび制御プレーンのための無線プロトコルアーキテクチャの一例を示す概念図である。図３を参照すると、３つのレイヤ、レイヤ１（Ｌ１）、レイヤ２（Ｌ２）、およびレイヤ３（Ｌ３）をもつＡＳが示されている。レイヤ１は最下位レイヤであり、様々な物理レイヤ信号処理機能を実装する。レイヤ１は、本明細書では物理レイヤ３０６と呼ばれる。レイヤ２  ３０８と呼ばれるデータリンクレイヤは、物理レイヤ３０６の上にあり、物理レイヤ３０６を介したＵＥとノードＢとの間のリンクを担当する。
【００３２】
[0046]レイヤ３において、無線リソース制御（ＲＲＣ：radio resource control）レイヤ３１６は、ＵＥとノードＢとの間の制御プレーンシグナリングをハンドリングする。ＲＲＣレイヤ３１６は、上位レイヤメッセージをルーティングすること、ブロードキャスト機能およびページング機能をハンドリングすること、無線ベアラを確立し、構成することなどのためのいくつかの機能エンティティを含む。
【００３３】
[0047]図示されたエアインターフェースでは、Ｌ２レイヤ３０８はサブレイヤに分割される。制御プレーンでは、Ｌ２レイヤ３０８は２つのサブレイヤ、媒体アクセス制御（ＭＡＣ：radio link control）サブレイヤ３１０と無線リンク制御（ＲＬＣ：radio link control）サブレイヤ３１２とを含む。ユーザプレーンでは、Ｌ２レイヤ３０８は、パケットデータコンバージェンスプロトコル（ＰＤＣＰ：packet data convergence protocol）サブレイヤ３１４をさらに含む。図示されていないが、ＵＥは、ネットワーク側のＰＤＮゲートウェイにおいて終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ３０８の上にいくつかの上位レイヤを有し得る。
ＰＤＣＰサブレイヤ３１４は、異なる無線ベアラと論理チャネルとの間の多重化を行う。ＰＤＣＰサブレイヤ３１４はまた、無線送信オーバーヘッドを低減するための上位レイヤデータパケットのヘッダ圧縮と、データパケットを暗号化することによるセキュリティと、ＵＥに対するノードＢ間のハンドオーバサポートとを与える。
【００３４】
[0048]ＲＬＣサブレイヤ３１２は、概して、（確認応答および再送信処理が誤り訂正のために使用され得る）確認応答モード（ＡＭ：acknowledged mode）と、非確認応答モード（ＵＭ：unacknowledged mode）と、データ転送のための透過モードとをサポートし、上位レイヤデータパケットのセグメンテーションおよびリアセンブリと、ＭＡＣレイヤにおけるハイブリッド自動再送要求（ＨＡＲＱ：hybrid automatic repeat request）による、順が狂った受信を補正するためのデータパケットの並べ替えとを行う。確認応答モードでは、ＲＮＣおよびＵＥなどのＲＬＣピアエンティティは、特に、ＲＬＣデータプロトコルデータユニット（ＰＤＵ：protocol data unit）と、ＲＬＣステータスＰＤＵと、ＲＬＣリセットＰＤＵとを含む様々なＲＬＣ  ＰＤＵを交換し得る。本開示では、「パケット」という用語は、ＲＬＣピアエンティティ間で交換される任意のＲＬＣ  ＰＤＵを指すことがある。
【００３５】
[0049]ＭＡＣサブレイヤ３１０は、論理チャネルとトランスポートチャネルとの間の多重化を行う。ＭＡＣサブレイヤ３１０はまた、ＵＥの間で１つのセル中の様々な無線リソース（たとえば、リソースブロック）を割り振ることを担当する。ＭＡＣサブレイヤ３１０はＨＡＲＱ動作をも担当する。
【００３６】
[0050]図４は、本開示の態様による、複数のサブスクリプションとの同時アクティブ接続を確立するためにモデム支援型競合ハンドリングを使用するように構成されたＤＳＤＡ  ＵＥ４０２を示す概念図である。たとえば、ＵＥ４０２は、図１、図２、および／または図５のＵＥのいずれかであり得る。ＵＥ４０２は、それぞれ第１のサブスクリプション４０８および第２のサブスクリプション４１０との同時アクティブ接続４０４および４０６をサポートする。ＵＥ４０２は、ソフトウェア、ファームウェア、ハードウェア、回路、またはそれらの組合せで実装され得る様々な構成要素を含む。たとえば、ＵＥ４０２は、複数のサブスクリプションとの同時アクティブ接続をサポートするように構成されたオペレーティングシステム４１２を含む。本開示の一態様では、オペレーティングシステム４１２は、ＵＥ４０２のハードウェアリソースを管理し、ＵＥ４０２上で実行するアプリケーションに様々なサービスを与えるソフトウェアである。オペレーティングシステム４１２の例としては、Ａｎｄｒｏｉｄ（登録商標）、ｉＯＳ（登録商標）、Ｗｉｎｄｏｗ  Ｐｈｏｎｅ（登録商標）などがある。第１のサブスクリプションアクセス構成要素４１４は、第１のサブスクリプション４０８とのアクティブ接続４０４をサポートおよび確立するために与えられる。第２のサブスクリプションアクセス構成要素４１６は、第２のサブスクリプション４１０とのアクティブ接続４０６をサポートおよび確立するために与えられる。たとえば、両方のアクティブ接続４０４および４０６が、ユーザデータ（たとえば、ボイス呼またはデータ呼）を受信および／または送信するために同時にアクティブモードにあり得る。２つのアクティブ接続間のトラフィックタイプについてのいくつかの可能性は、一方の接続がボイス呼をサポートし、他の接続がデータアプリケーション（たとえば、インターネットウェブブラウジング、メディアストリーミング、またはファイルダウンロード）をサポートすること、あるいは両方の接続が２つの別個のボイス呼または２つの別個のデータアプリケーションをサポートすることを含む。
【００３７】
[0051]ＵＥ４０２は、オペレーティングシステム４１２にモデム情報４２０を与えるように構成され得るモデム４１８を含む。たとえば、モデムは、モデムアプリケーションプログラムインターフェース（ＡＰＩ）４２１を介して、それの動作状態または接続品質に関する情報を与えることができる。モデム情報４０２は、アクティブ接続４０４および４０６（ならびに他の接続）に関するリンク情報を含み得る。限定ではなく例として、モデム情報４２０または接続品質は、エラーレート、チャネル品質（たとえば、チャネル品質インジケータ（ＣＱＩ））、要求されたデータレート、利用可能なデータレート、受信電力、送信電力ヘッドルーム、ラウンドトリップ時間などのうちの少なくとも１つを含み得る。モデム情報４２０は、必要に応じて他の好適なパラメータを含み得る。モデム情報４２０は競合緩和構成要素４２２に与えられ得る。
【００３８】
[0052]競合緩和構成要素４２２は、第１のアクティブ接続４０４と第２のアクティブ接続４０６との間の競合を緩和することができる。１つのシナリオでは、緩和は、接続４０４および接続４０６の少なくとも一方を劣化させることによって行われ得る。アクティブ接続を緩和すると決定することは、モデム情報４２０に基づいてオペレーティングシステム４１２によって与えられた決定に従って行われ得る。アクティブ接続を劣化させることは、ボイス呼を保留にすること、スロットリングする（データレートを減少させる）こと、データ呼を中断すること、あるいはデータ呼またはボイス呼を終了することのうちの少なくとも１つを含み得る。
【００３９】
[0053]本開示の一態様では、ＵＥ４０２はまた、第１の接続４０４と第２の接続４０６とに関する情報をＵＥのユーザに与えるユーザ制御構成要素４２４を含む。ユーザ制御構成要素４２４は、オペレーティングシステム４１２から情報を受信し得、その情報をユーザに与える。次いで、ユーザ制御構成要素４２４は、競合を緩和するために、第１の接続および第２の接続のいずれが劣化されるべきかに関するユーザからの入力を受信する。本開示の態様では、競合をどのように緩和するかに関する決定は、オペレーティングシステム４１２自体またはユーザによって行われ得る。本開示のいくつかの態様では、決定は、オペレーティングシステムまたはユーザを関与させることなしにモデム４１８自体によって行われ得る。
【００４０】
[0054]図５は、本開示の一態様による、オペレーティングシステムによって与えられた決定に基づいて同時アクティブ接続間の競合を緩和するプロセス５００を示すフローチャートである。たとえば、プロセス５００は、図１、図２、図４、および／または図１５のＵＥのいずれかにおいて動作可能であり得る。ブロック５０２において、ＵＥ４０２が、第１のサブスクリプションに関連する第１のアクティブ接続を確立する。たとえば、ＵＥ４０２の第１のサブスクリプションアクセス構成要素４１４が、第１のサブスクリプション４０８との第１のアクティブ接続４０４を確立し得る（図４参照）。ブロック５０４において、ＵＥは、第１のアクティブ接続と同時に、第２のサブスクリプションに関連する第２のアクティブ接続を確立する。第１のアクティブ接続と第２のアクティブ接続とは、ユーザデータ（たとえば、データ呼データまたはボイス呼データ）を送信するために同時にアクティブモードに保たれる。たとえば、ＵＥの第２のサブスクリプションアクセス構成要素４１６が、第１のアクティブ接続４０４と同時に、第２のサブスクリプション４１０との第２のアクティブ接続４０６を確立し得る。
【００４１】
[0055]ブロック５０６において、第１のアクティブ接続と第２のアクティブ接続との接続品質に対応するモデム情報をオペレーティングシステムに与える。たとえば、モデム４１８は、モデムＡＰＩ４２１を介してモデム情報４２０をオペレーティングシステム４１２に与え得る。ブロック５０８において、ＵＥの競合緩和構成要素４２２は、モデム情報に基づいてオペレーティングシステムによって与えられた決定に従って第１のアクティブ接続４０８または第２のアクティブ接続４１０の少なくとも一方を劣化させることによって、第１のアクティブ接続と第２のアクティブ接続との間の競合を緩和する。本開示の様々な態様では、決定は、ユーザによって行われるか、あるいはＵＥにおいて動作しているオペレーティングシステム４１２および／またはアプリケーションによって自律的に（すなわち、ユーザ入力なしに）行われ得る。両方の接続を同時にアクティブモードに保つために第１のアクティブ接続および第２のアクティブ接続の一方または両方を劣化させるための技法の例について以下で詳細に説明する。
図６は、本開示の態様による、競合緩和技法６００の例を示すフローチャートである。たとえば、競合緩和技法６００は、図１、図２、図４、および／または図１５のＵＥのいずれかにおいて動作可能であり得る。一例では、ＵＥ４０２は、複数のサブスクリプション４０８および４１０との同時アクティブ接続４０４および４０６を確立し、ここで、接続は、ユーザデータを受信および／または送信するために両方ともアクティブモードに保たれる。アクティブ接続４０４および４０６の各々はデータ呼またはボイス呼であり得る。ブロック６０４において、ＵＥ４０２の競合緩和構成要素４２２は、同時の第１のアクティブ接続４０４と第２のアクティブ接続４０６との間の競合を決定する。接続間の競合が発生した場合、競合緩和構成要素４２２は、以下の技法のうちの１つまたは複数を使用することによって競合を緩和し得る。
【００４２】
[0056]ブロック６０６において、ＵＥ４０２（たとえば、競合緩和構成要素４２２）は、第１のアクティブ接続４０４および第２のアクティブ接続４０６の一方に、他方に勝る優先度を付ける。たとえば、一方の接続のユーザデータおよび／またはボイスデータは、他方の接続の優先度よりも高い優先度を与えられ得る。ブロック６０８において、ＵＥ４０２は、それらの相対的優先度に基づいて、第１のアクティブ接続４０４または第２のアクティブ接続４０６の少なくとも一方のデータをスロットリングまたは中断する。たとえば、より低い優先度をもつアクティブ接続のうちの１つまたは複数のデータレートが低減され得る。ブロック６１０において、ＵＥ４０２は、それらの相対的優先度に基づいて、第１のアクティブ接続および第２のアクティブ接続の少なくとも一方を保留にする。たとえば、ＵＥ４０２は、より低い優先度をもつアクティブ接続のうちの１つ上のボイス呼を保留にし得る。本開示の一態様では、ボイス呼が接続上で保留にされたとき、ＵＥ４０２は、発呼者が保留にしていることを相手側に知らせるためにキープアライブ無音フレームまたは周期ビジートーンのみを送るなど、アクティブボイス呼中のレートよりも低いレートでトラフィックデータを送信し得る。より低いデータレートの一例は、保留のボイス呼について３〜５秒以下ごとに０．５ｍｓの全体的送信アクティビティを生じ得る。本開示のいくつかの態様では、図６の様々な競合緩和技法は、図５のブロック５０８において個々にまたは異なる組合せで適用され得る。
【００４３】
[0057]図７は、本開示の一態様による、同時のアクティブデータ接続とアクティブボイス接続との間の競合を緩和するプロセス７００を示すフローチャートである。たとえば、プロセス７００は、図１、図３、図４、および／または図１５のＵＥのいずれかにおいて動作可能であり得る。ブロック７０２において、ＵＥ４０２は、異なるサブスクリプション上でボイス呼とデータ呼とを同時に確立する。たとえば、サブスクリプションは、図４の第１のサブスクリプション４０８および第２のサブスクリプション４１０であり得る。競合を緩和するために、ＵＥ４０２（たとえば、競合緩和構成要素４２２）は、ボイス呼およびデータ呼のいずれがフォアグラウンドアプリケーションであるかを決定し得る。ブロック７０４において、データ呼がボイス呼に対してフォアグラウンドアプリケーションであると決定された場合、ＵＥ４０２は、第１のアクティブ接続４０４および第２のアクティブ接続４０６のそれぞれの接続品質に基づいて、データ呼をスロットリングするかまたはボイス呼を保留にする。ブロック７０６において、ボイス呼がデータ呼に対してフォアグラウンドアプリケーションであると決定された場合、ＵＥ４０２は、第１のアクティブ接続４０４および第２のアクティブ接続４０６のそれぞれの接続品質に基づいて、データ呼を停止、中断、またはスロットリングする。
【００４４】
[0058]図８は、本開示の一態様による、ＵＥのモデムによって行われた決定に基づいて同時アクティブ接続間の競合を緩和するプロセス８００を示すフローチャートである。たとえば、プロセス８００は、図１、図２、図４、および／または図１５のＵＥのいずれかにおいて動作可能であり得る。ブロック８０２において、ＵＥ４０２（たとえば、第１のサブスクリプションアクセス構成要素４１４）が、第１のサブスクリプション４０８に関連する第１のアクティブ接続４０４を確立する。ブロック８０４において、ＵＥ４０２（たとえば、第２のサブスクリプションアクセス構成要素４１６）は、第１のアクティブ接続４０４と同時に、第２のサブスクリプション４１０に関連する第２のアクティブ接続４０６を確立する。第１のアクティブ接続４０４と第２のアクティブ接続４０６とは、ＵＥのモデム４１８によって、ユーザデータを受信および／または送信するために同時にアクティブモードに保たれる。
【００４５】
[0059]ブロック８０６において、ＵＥ４０２（たとえば、競合緩和構成要素４２２）は、モデム４１８によって決定された第１のアクティブ接続４０４および第２のアクティブ接続４０６のそれぞれの接続品質に基づいて、モデム４１８によって行われた決定に従って第１のアクティブ接続４０４または第２のアクティブ接続４０６の少なくとも一方を劣化させることによって、第１のアクティブ接続４０４と第２のアクティブ接続４０６との間の競合を緩和する。第１のアクティブ接続と第２のアクティブ接続とを同時にアクティブモードに保つためにそれらの接続の一方または両方を劣化させるための技法の例について以下で詳細に説明する。本開示の様々な態様では、図６および／または図７で説明した緩和技法がブロック８０６において適用され得る。
ＤＳＤＡ接続管理実施形態の例
[0060]図９〜図１４は、本開示のいくつかの態様による、図４〜図８に示された競合緩和技法によって緩和され得る同時アクティブ接続競合管理シナリオのいくつかの例を示す図である。これらの例は網羅的ではなく、本開示の発明的概念および技法は、図１、図２、図４、および／または図１５に示されたいずれかのＵＥにおける他の呼管理シナリオにおいて適用され得る。
【００４６】
[0061]図９は、本開示の一態様による、デュアルボイス呼管理プロセス９００の一例を示す図である。たとえば、プロセス９００は、図１、図２、図４、および／または図１５のＵＥのいずれかにおいて動作可能であり得る。ＵＥは、異なるサブスクリプションとの第１のボイス呼９０２と第２のボイス呼９０４とを確立し得る。最初に、ＵＥは第１のボイス呼のみを有し得る。ある時間に、たとえば、ＵＥは、第１のボイス呼９０２がまだ進行している間に第２のボイス呼９０４をハンドリングすることが必要になり得る。ブロック９０６において、ＵＥは、第１のボイス呼を続けるが、第２のボイス呼９０４を保留にし得る。ブロック９０８において、ＵＥは、第１のボイス呼を保留にし、第２のボイス呼をアクティブにし得る。ブロック９０８から、第２のボイス呼が終了された場合、ＵＥは第１のボイス呼にスイッチバックし得る。ブロック９０６から、第２のボイス呼が保留であるとき、ＵＥ４０２は、第２のボイス呼にスイッチし得、第１のボイス呼を終了する。保留にされたボイス呼について、ＵＥは、アクティブボイス呼中のデータレートよりも低いデータレートで送信すること、周期トーンを送信すること、またはキープアライブデータを除くデータ送信を控えることによって、アクティブ接続を存続させ得る。プロセス９００では、一度にボイス呼の一方のみがアクティブに保たれる。本開示の態様では、ボイス呼間でスイッチすること、ボイス呼を保留にすること、および／またはボイス呼を終了することの決定は、オペレーティングシステム４１２によって行われるか、またはモデム情報４２０に基づいてユーザに呼の情報を与え得るオペレーティングシステムを通してＵＥ４０２のユーザによって行われ得る。
【００４７】
[0062]図１０は、本開示の一態様による、ボイス呼およびデータ呼管理プロセス１０００の一例を示す図である。たとえば、方法１０００は、図１、図２、図４、および／または図１５のＵＥのいずれかにおいて動作可能であり得る。ＵＥは、異なるサブスクリプションとのボイス呼１００２とデータ呼１００４とを確立し得る。最初に、ＵＥは、進行中のアクティブボイス呼１００２を有し得る。その後のある時間に、たとえば、ＵＥは、ボイス呼１００２がまだ進行している間にデータ呼１００４をハンドリングすることが必要になり得る。たとえば、データ呼に関連するデータアプリケーション（データアプリ）が、ユーザによって開かれるか、またはフォアグラウンドアプリケーションになったとき、ＵＥは、データ呼にスイッチし、ボイス呼を保留にし得る（ブロック１００６）。ブロック１００６において、ボイス呼が終了した（たとえば、リモート発呼者がハングアップまたは切断した）場合、データ呼のみがアクティブのままになる。しかしながら、ブロック１００６において、電話アプリケーション（たとえば、ダイヤラーアプリ）が、ユーザによって開かれるか、またはＵＥにおいてフォアグラウンドアプリケーションになった場合、ＵＥは、ボイス呼をアクティブにし、データ呼を終了または中断し得る。プロセス１０００では、ＵＥの状態は、データ呼またはボイス呼のいずれがフォアグラウンドタスクであるかに基づいて変更される。
【００４８】
[0063]図１１は、本開示の一態様による、同時ボイス呼およびデータ呼管理プロセス１１００の第１の例を示す図である。たとえば、プロセス１１００は、図１、図２、図４、および／または図１５のＵＥのいずれかにおいて動作可能であり得る。ＵＥは、異なるサブスクリプションとのボイス呼１１０２とデータ呼１１０４とを確立し得る。最初に、ＵＥは、進行中のボイス呼１１０２のみを有し得る。ある時間に、たとえば、ＵＥは、ボイス呼１１０２がまだ進行している間にデータ呼１１０４をハンドリングすることが必要になり得る。データ呼がフォアグラウンドアプリケーションであるとき、ボイス呼およびデータ呼の管理はボイス呼接続とデータ呼接続との品質に基づき得る。たとえば、接続の品質は、モデム４１８によってモデムＡＰＩ４２１を介してＵＥのオペレーティングシステム４１２に報告され得る無線リンク品質に基づき得る。ブロック１１０６において、接続品質が十分に良好である場合、ＵＥは、ボイス呼が進行している間、データ呼をスロットリングすることによってボイス呼とデータ呼の両方を同時にアクティブに保ち得る。たとえば、接続品質は、エラーレート、チャネル品質（たとえば、ＣＱＩ）、要求されたデータレート、利用可能なデータレート、受信電力、送信電力ヘッドルーム、ラウンドトリップ時間などのうちの少なくとも１つを含むモデム情報４２０に基づいて決定され得る。ブロック１１０８において、接続品質が不十分である場合、ＵＥは、データ呼をアクティブに保ち、ボイス呼を保留にし得る。ブロック１１０８において、本開示のいくつかの態様では、ＵＥは、ボイス呼が保留にされることになることを示すために、リモート発呼者に指示（たとえば、トーン）を送り得る。
【００４９】
[0064]図１２は、本開示の一態様による、同時ボイス呼およびデータ呼管理プロセス１２００の第２の例を示す図である。たとえば、方法１２００は、図１、図２、図４、および／または図１５のＵＥのいずれかにおいて動作可能であり得る。ブロック１２０２において、ＵＥは、アクティブデータ呼とアクティブボイス呼とを同時に確立し得る。ユーザに一定のボイス呼品質を与えながら両方の呼をアクティブに保つために、データ呼はスロットリングされ得る。ブロック１２０６において、ボイス呼が終了した場合、ＵＥはデータ呼を続け得る。ブロック１２０６において、ボイス呼が終了したので、データ呼はより高いデータレートを利用し得る。ブロック１２０４において、データ呼がフォアグラウンドアプリケーションになり、データ接続品質が不十分であるかまたは望ましくない場合、ＵＥは、データ呼をアクティブに保ちながらボイス呼を保留にし得る。ブロック１２０８において、データ呼が終了した（または中断された）場合、ＵＥはボイス呼をアクティブにし得る。さらに、電話アプリケーション（たとえば、ダイヤラーアプリ）がフォアグラウンドアプリケーションになり、データ接続品質が不十分であるかまたは望ましくない場合、ＵＥは、データ呼を終了または中断し、ボイス呼のみをアクティブに保ち得る。
【００５０】
[0065]図１３は、本開示の一態様による、同時ボイス呼およびデータ呼管理プロセス１３００の第３の例を示す図である。たとえば、プロセス１３００は、図１、図２、図４、および／または図１５のＵＥのいずれかにおいて動作可能であり得る。ブロック１３０２において、ＵＥは、データ呼をアクティブに保ち、ボイス呼を保留にし得る。ブロック１３０４において、電話アプリケーション（たとえば、ダイヤラー）がフォアグラウンドアプリケーションになり、データ接続品質が十分に良好である場合、ＵＥは、データ呼をスロットリングし、ボイス呼をアクティブに保ち得る。ブロック１３０６において、しかしながら、データ接続品質が不十分であるかまたは望ましくない場合、ＵＥは、データ呼を終了または中断し、ボイス呼のみをアクティブに保ち得る。ブロック１３０８において、ボイス呼が終了した場合、ＵＥはデータ呼をアクティブに保ち得る。
【００５１】
[0066]図１４は、本開示の一態様による、同時ボイス呼およびデータ呼管理プロセス１４００の第４の例を示す図である。たとえば、方法１４００は、図１、図２、図４、および／または図１５のＵＥのいずれかにおいて動作可能であり得る。ブロック１４０２において、ＵＥはアクティブデータ呼を有する。ある時間に、電話アプリケーション（たとえば、ダイヤラー）が開始されるかまたはフォアグラウンドになる。ブロック１４０４において、データ接続品質が十分に良好である場合、ＵＥは、データ呼をスロットリングすることによってデータ呼とボイス呼の両方を同時にアクティブに保ち得る。ブロック１４０６において、しかしながら、データ接続品質が不十分であるかまたは望ましくない場合、ＵＥは、データ呼を終了または中断し、ボイス呼のみをアクティブに保ち得る。
【００５２】
[0067]本開示の態様では、図１〜図１４における、データ呼をスロットリング／終了／中断すること、および／あるいはボイス呼をアクティブまたは保留にすることの決定は、オペレーティングシステム４１２によって行われるか、またはモデム情報４２０に基づいてユーザに接続の情報を与え得るオペレーティングシステム４１２を通してＵＥ４０２のユーザによって行われ得る。本開示のいくつかの他の態様では、決定は、オペレーティングシステムおよび／またはユーザを関与させることなしにモデム自体によって行われ得る。
【００５３】
[0068]図１５は、処理システム１５１４を採用する装置１５００のためのハードウェア実装形態の一例を示す概念図である。本開示の様々な態様によれば、要素、または要素の任意の部分、または要素の任意の組合せは、１つまたは複数のプロセッサ１５０４を含む処理システム１５１４を用いて実装され得る。たとえば、装置１５００は、図１、図２、および／または図４のうちのいずれか１つまたは複数に示されているようなＵＥであり得る。別の例では、装置１５００は、図１および／または図２に示されているような無線ネットワークコントローラ（ＲＮＣ）であり得る。プロセッサ１５０４の例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。すなわち、装置１５００において利用されるプロセッサ１５０４は、図５〜図１４において説明および図示したプロセスのうちのいずれか１つまたは複数を実装するために使用され得る。
【００５４】
[0069]この例では、処理システム１５１４は、バス１５０２によって概略的に表されるバスアーキテクチャを用いて実装され得る。バス１５０２は、処理システム１５１４の特定の適用例および全体的な設計制約に応じて、任意の数の相互接続バスおよびブリッジを含み得る。バス１５０２は、（プロセッサ１５０４によって概略的に表される）１つまたは複数のプロセッサと、メモリ１５０５と、（コンピュータ可読媒体１５０６によって概略的に表される）コンピュータ可読媒体とを含む様々な回路を互いにリンクする。バス１５０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース１５０８は、バス１５０２とトランシーバ１５１０との間のインターフェースを与える。トランシーバ１５１０は、伝送媒体を介して様々な他の装置と通信するための手段を与える。たとえば、トランシーバ１５１０は、複数のサブスクリプションとのＤＳＤＡ接続をサポートするための、１つまたは複数のモデム、ＲＦフロントエンド回路などを含み得る。装置の性質に応じて、ユーザインターフェース１５１２（たとえば、キーパッド、ディスプレイ、スピーカー、マイクロフォン、ジョイスティック、タッチパッド、またはタッチスクリーン）も与えられ得る。
【００５５】
[0070]プロセッサ１０４は、バス１５０２を管理することと、コンピュータ可読媒体１５０６に記憶されたソフトウェアの実行を含む一般的な処理とを担当する。たとえば、ソフトウェアは、プロセッサ１５０４によって実行されたとき、処理システム１５１４に、特定の装置のための図５〜図１４で説明した様々な機能を実施させる。たとえば、ソフトウェアは、プロセッサ１５０４によって実行されたとき、ＵＥに、図４〜図１４に関して説明した様々な方法、機能、およびプロセスを実施させる競合緩和ソフトウェア１５１５であり得る。コンピュータ可読媒体１５０６はまた、ソフトウェアを実行するときにプロセッサ１５０４によって操作されるデータを記憶するために使用され得る。
【００５６】
[0071]処理システム中の１つまたは複数のプロセッサ１５０４はソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体１５０６上に常駐し得る。コンピュータ可読媒体１５０６は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、伝送線路、ならびにコンピュータによってアクセスされ、読み取られ得るソフトウェアおよび／または命令を送信するための任意の他の好適な媒体を含み得る。コンピュータ可読媒体１５０６は、処理システム１５１４中に常駐するか、処理システム１５１４の外部にあるか、または処理システム１５１４を含む複数のエンティティにわたって分散され得る。コンピュータ可読媒体１５０６はコンピュータプログラム製品において実施され得る。例として、コンピュータプログラム製品はパッケージング材料中にコンピュータ可読媒体を含み得る。特定の適用例および全体的なシステムに課される全体的な設計制約に応じて、本開示全体にわたって提示する記載の機能をどのようにしたら最も良く実装することができるかを、当業者は認識されよう。
【００５７】
[0072]Ｗ−ＣＤＭＡシステムに関して電気通信システムのいくつかの態様を提示した。当業者が容易に諒解するように、本開示全体にわたって説明した様々な態様は、他の電気通信システム、ネットワークアーキテクチャおよび通信規格に拡張され得る。
【００５８】
[0073]例として、様々な態様は、ＴＤ−ＳＣＤＭＡおよびＴＤ−ＣＤＭＡなど、他のＵＭＴＳシステムに拡張され得る。様々な態様はまた、（ＦＤＤ、ＴＤＤ、または両モードでの）ロングタームエボリューション（ＬＴＥ）、（ＦＤＤ、ＴＤＤ、または両モードでの）ＬＴＥアドバンスト（ＬＴＥ−Ａ）、ＣＤＭＡ２０００、エボリューションデータオプティマイズド（ＥＶ−ＤＯ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、ウルトラワイドバンド（ＵＷＢ）、Ｂｌｕｅｔｏｏｔｈ（登録商標）、および／または他の好適なシステムを採用するシステムに拡張され得る。採用される実際の電気通信規格、ネットワークアーキテクチャ、および／または通信規格は、特定の適用例およびシステムに課される全体的な設計制約に依存することになる。
【００５９】
[0074]開示した方法におけるステップの特定の順序または階層は、例示的なプロセスの一例であることを理解されたい。設計上の選好に基づいて、本方法におけるステップの特定の順序または階層は並べ替えられ得ることを理解されたい。添付の方法クレームは、様々なステップの要素を例示的な順序で提示しており、方法クレーム中で特に具陳されていない限り、提示された特定の順序または階層に限定されるものではない。
【００６０】
[0075]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃを包含するものとする。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条第６項の規定の下で解釈されるべきではない。
【図１】
2020010391.tif 000003
【図２】
2020010391.tif 000004
【図３】
2020010391.tif 000005
【図４】
2020010391.tif 000006
【図５】
2020010391.tif 000007
【図６】
2020010391.tif 000008
【図７】
2020010391.tif 000009
【図８】
2020010391.tif 000010
【図９】
2020010391.tif 000011
【図１０】
2020010391.tif 000012
【図１１】
2020010391.tif 000013
【図１２】
2020010391.tif 000014
【図１３】
2020010391.tif 000015
【図１４】
2020010391.tif 000016
【図１５】
2020010391.tif 000017
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）において動作可能なワイヤレス通信の方法であって、
第１のサブスクリプションに関連する第１のアクティブ接続を確立することと、
前記第１のアクティブ接続と同時に、第２のサブスクリプションに関連する第２のアクティブ接続を確立することと、
同時にアクティブである前記第１のアクティブ接続および第２のアクティブ接続に関するモデム情報に基づいて、接続品質に対応するリンク情報を前記ＵＥのユーザに与えることと、ここにおいて、前記接続品質は、前記第１のアクティブ接続または前記第２のアクティブ接続に対応する、エラーレート、要求されたデータレート、利用可能なデータレート、送信電力ヘッドルーム、またはラウンドトリップ時間のうちの少なくとも１つを備える、
競合を緩和するために、前記第１のアクティブ接続および前記第２のアクティブ接続のいずれが劣化されるべきかに関する前記ユーザからの入力を受信することと、
前記第１のアクティブ接続と前記第２のアクティブ接続との間の競合を緩和するために、前記入力に従って前記第１のアクティブ接続または前記第２のアクティブ接続の少なくとも一方を劣化させることと
を備える、方法。
【請求項２】
前記第１のアクティブ接続および前記第２のアクティブ接続の接続品質に対応する前記モデム情報を前記ＵＥのオペレーティングシステムに与えること
をさらに備え、
ここにおいて、前記ユーザに前記与えることが、
前記オペレーティングシステムによって、前記モデム情報に基づいて前記リンク情報を前記ユーザに与えること
を備える、請求項１に記載の方法。
【請求項３】
前記劣化させることが、
前記第１のアクティブ接続または前記第２のアクティブ接続の少なくとも一方のデータをスロットリングすること、または
前記第１のアクティブ接続または前記第２のアクティブ接続の少なくとも一方を保留にすること
のうちの少なくとも１つを備える、請求項１に記載の方法。
【請求項４】
前記第１のアクティブ接続が第１のボイス呼を備え、前記第２のアクティブ接続が第２のボイス呼を備え、
ここにおいて、前記劣化させることが、
周期トーンを送信すること、または
キープアライブデータを除くデータの送信を控えること
によって前記第１のボイス呼または前記第２のボイス呼の一方を保留にすることを備える、請求項１に記載の方法。
【請求項５】
前記第１のアクティブ接続がボイス呼を備え、前記第２のアクティブ接続がデータ呼を備え、
ここにおいて、前記劣化させることは、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、
前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
を備える、請求項１に記載の方法。
【請求項６】
ワイヤレス通信のためのユーザ機器（ＵＥ）であって、
第１のサブスクリプションに関連する第１のアクティブ接続を確立するための手段と、
前記第１のアクティブ接続と同時に、第２のサブスクリプションに関連する第２のアクティブ接続を確立するための手段と、
同時にアクティブである前記第１のアクティブ接続および第２のアクティブ接続に関するモデム情報に基づいて、接続品質に対応するリンク情報を前記ＵＥのユーザに与えるための手段と、ここにおいて、前記接続品質は、前記第１のアクティブ接続または前記第２のアクティブ接続に対応する、エラーレート、要求されたデータレート、利用可能なデータレート、送信電力ヘッドルーム、またはラウンドトリップ時間のうちの少なくとも１つを備える、
競合を緩和するために、前記第１のアクティブ接続および前記第２のアクティブ接続のいずれが劣化されるべきかに関する前記ユーザからの入力を受信するための手段と、
前記第１のアクティブ接続と前記第２のアクティブ接続との間の競合を緩和するために、前記入力に従って前記第１のアクティブ接続または前記第２のアクティブ接続の少なくとも一方を劣化させるための手段と
を備える、ユーザ機器。
【請求項７】
前記第１のアクティブ接続および前記第２のアクティブ接続の接続品質に対応する前記モデム情報を前記ＵＥのオペレーティングシステムに与えるための手段
をさらに備え、
ここにおいて、前記ユーザに前記与えるための前記手段が、
前記オペレーティングシステムによって、前記モデム情報に基づいて前記リンク情報を前記ユーザに与える
ように構成された、請求項６に記載のユーザ機器。
【請求項８】
劣化させるための前記手段が、
前記第１のアクティブ接続または前記第２のアクティブ接続の少なくとも一方のデータをスロットリングすること、または
前記第１のアクティブ接続または前記第２のアクティブ接続の少なくとも一方を保留にすること
のうちの少なくとも１つを行うように構成された、請求項６に記載のユーザ機器。
【請求項９】
前記第１のアクティブ接続が第１のボイス呼を備え、前記第２のアクティブ接続が第２のボイス呼を備え、
ここにおいて、劣化させるための前記手段が、
周期トーンを送信すること、または
キープアライブデータを除くデータの送信を控えること
によって前記第１のボイス呼または前記第２のボイス呼の一方を保留にするように構成された、請求項６に記載のユーザ機器。
【請求項１０】
前記第１のアクティブ接続がボイス呼を備え、前記第２のアクティブ接続がデータ呼を備え、
ここにおいて、劣化させるための前記手段は、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、
前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
を行うように構成された、請求項６に記載のユーザ機器。
【請求項１１】
ワイヤレス通信のためのユーザ機器（ＵＥ）であって、
サブスクリプションアクセスブロックと、
実行可能なコードを備えるメモリと、
前記サブスクリプションアクセスブロックに動作可能に結合されたプロセッサと、
を備え、前記プロセッサが、
前記サブスクリプションアクセスブロックを利用して、第１のサブスクリプションに関連する第１のアクティブ接続を確立することと、
前記サブスクリプションアクセスブロックを利用して、前記第１のアクティブ接続と同時に、第２のサブスクリプションに関連する第２のアクティブ接続を確立することと、
同時にアクティブである前記第１のアクティブ接続および第２のアクティブ接続に関するモデム情報に基づいて、接続品質に対応するリンク情報を前記ＵＥのユーザに与えることと、ここにおいて、前記接続品質は、前記第１のアクティブ接続または前記第２のアクティブ接続に対応する、エラーレート、要求されたデータレート、利用可能なデータレート、送信電力ヘッドルーム、またはラウンドトリップ時間のうちの少なくとも１つを備える、
競合を緩和するために、前記第１のアクティブ接続および前記第２のアクティブ接続のいずれが劣化されるべきかに関する前記ユーザからの入力を受信することと、
前記第１のアクティブ接続と前記第２のアクティブ接続との間の競合を緩和するために、前記入力に従って前記第１のアクティブ接続または前記第２のアクティブ接続の少なくとも一方を劣化させることと、
を行うように前記実行可能なコードによって構成された、ユーザ機器。
【請求項１２】
前記プロセッサが、
前記第１のアクティブ接続および前記第２のアクティブ接続の接続品質に対応する前記モデム情報を前記ＵＥのオペレーティングシステムに与えることと、
前記オペレーティングシステムによって、前記モデム情報に基づいて前記リンク情報を前記ユーザに与えることと
を行うようにさらに構成された、請求項１１に記載のユーザ機器。
【請求項１３】
前記プロセッサが、
前記第１のアクティブ接続または前記第２のアクティブ接続の少なくとも一方のデータをスロットリングすること、または
前記第１のアクティブ接続または前記第２のアクティブ接続の少なくとも一方を保留にすること
のうちの少なくとも１つによって、前記第１のアクティブ接続または前記第２のアクティブ接続の少なくとも一方を劣化させるようにさらに構成された、請求項１１に記載のユーザ機器。
【請求項１４】
前記第１のアクティブ接続が第１のボイス呼を備え、前記第２のアクティブ接続が第２のボイス呼を備え、
ここにおいて、前記プロセッサが、
周期トーンを送信すること、または
キープアライブデータを除くデータの送信を控えること
によって前記第１のボイス呼または前記第２のボイス呼の一方を保留にすることによって、前記第１のアクティブ接続または前記第２のアクティブ接続の少なくとも一方を劣化させるようにさらに構成された、請求項１１に記載のユーザ機器。
【請求項１５】
前記第１のアクティブ接続がボイス呼を備え、前記第２の接続がデータ呼を備え、
ここにおいて、前記プロセッサは、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、
前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
によって、前記第１のアクティブ接続または前記第２のアクティブ接続の少なくとも一方を劣化させるようにさらに構成された、請求項１１に記載のユーザ機器。
【請求項１６】
第１のサブスクリプションに関連する第１のアクティブ接続を確立することと、
前記第１のアクティブ接続と同時に、第２のサブスクリプションに関連する第２のアクティブ接続を確立することと、
同時にアクティブである前記第１のアクティブ接続および第２のアクティブ接続に関するモデム情報に基づいて、接続品質に対応するリンク情報を前記ＵＥのユーザに与えることと、ここにおいて、前記接続品質は、前記第１のアクティブ接続または前記第２のアクティブ接続に対応する、エラーレート、要求されたデータレート、利用可能なデータレート、送信電力ヘッドルーム、またはラウンドトリップ時間のうちの少なくとも１つを備える、
競合を緩和するために、前記第１のアクティブ接続および前記第２のアクティブ接続のいずれが劣化されるべきかに関する前記ユーザからの入力を受信することと、
前記第１のアクティブ接続と前記第２のアクティブ接続との間の競合を緩和するために、前記入力に従って前記第１のアクティブ接続または前記第２のアクティブ接続の少なくとも一方を劣化させることと
を行うためのコンピュータ実行可能なコードを備える、非一時的コンピュータ可読媒体。
【請求項１７】
前記第１のアクティブ接続および前記第２のアクティブ接続の接続品質に対応する前記モデム情報を前記ＵＥのオペレーティングシステムに与えること
を行うためのコンピュータ実行可能なコードをさらに備え、
ここにおいて、前記ユーザに前記与えることが、
前記オペレーティングシステムによって、前記モデム情報に基づいて前記リンク情報を前記ユーザに与えること
を備える、請求項１６に記載の非一時的コンピュータ可読媒体。
【請求項１８】
前記劣化させることが、
前記第１のアクティブ接続または前記第２のアクティブ接続の少なくとも一方のデータをスロットリングすること、または
前記第１のアクティブ接続または前記第２のアクティブ接続の少なくとも一方を保留にすること
のうちの少なくとも１つを備える、請求項１６に記載の非一時的コンピュータ可読媒体。
【請求項１９】
前記第１のアクティブ接続が第１のボイス呼を備え、前記第２のアクティブ接続が第２のボイス呼を備え、
ここにおいて、前記劣化させることが、
周期トーンを送信すること、または
キープアライブデータを除くデータの送信を控えること
によって前記第１のボイス呼または前記第２のボイス呼の一方を保留にすることを備える、請求項１６に記載の非一時的コンピュータ可読媒体。
【請求項２０】
前記第１のアクティブ接続がボイス呼を備え、前記第２のアクティブ接続がデータ呼を備え、
ここにおいて、前記劣化させることは、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、
前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
を備える、請求項１６に記載の非一時的コンピュータ可読媒体。
【手続補正２】
【補正対象書類名】明細書
【補正対象項目名】００６０
【補正方法】変更
【補正の内容】
【００６０】
[0075]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃを包含するものとする。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条第６項の規定の下で解釈されるべきではない。
以下に本願の出願当初の特許請求の範囲に記載された発明を付記する。
［Ｃ１］
ユーザ機器（ＵＥ）において動作可能なワイヤレス通信の方法であって、
第１のサブスクリプションに関連する第１のアクティブ接続を確立することと、
前記第１のアクティブ接続と同時に、第２のサブスクリプションに関連する第２のアクティブ接続を確立することと、
前記第１のアクティブ接続と前記第２のアクティブ接続との接続品質に対応するモデム情報を前記ＵＥのオペレーティングシステムに与えることと、
前記モデム情報に基づいて前記オペレーティングシステムによって行われた決定に従って前記第１のアクティブ接続または前記第２のアクティブ接続の少なくとも一方を劣化させることによって、前記第１のアクティブ接続と前記第２のアクティブ接続との間の競合を緩和することと
を備える、方法。
［Ｃ２］
前記接続品質が、前記第１の接続または前記第２の接続に対応するエラーレート、チャネル品質、要求されたデータレート、利用可能なデータレート、受信電力、送信電力ヘッドルーム、またはラウンドトリップ時間のうちの少なくとも１つを備える、Ｃ１に記載の方法。
［Ｃ３］
前記第１のアクティブ接続および前記第２のアクティブ接続に関する情報を前記ＵＥのユーザに与えることと、
前記第１のアクティブ接続および前記第２のアクティブ接続のいずれが劣化されるべきかに関する前記ユーザからの入力を受信することと、
前記ユーザからの前記入力に従って、競合を緩和するための前記決定を行うことと
をさらに備える、Ｃ１に記載の方法。
［Ｃ４］
競合を前記緩和することが、
前記第１のアクティブ接続または前記第２のアクティブ接続の一方に、他方に勝る優先度を付けること、
前記第１のアクティブ接続または前記第２のアクティブ接続の少なくとも一方のデータをスロットリングすること、または
前記第１のアクティブ接続または前記第２のアクティブ接続の少なくとも一方を保留にすること
のうちの少なくとも１つを備える、Ｃ１に記載の方法。
［Ｃ５］
前記第１のアクティブ接続が第１のボイス呼を備え、前記第２のアクティブ接続が第２のボイス呼を備え、
ここにおいて、競合を前記緩和することが、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にすることを備える、Ｃ１に記載の方法。
［Ｃ６］
前記第１のアクティブ接続がボイス呼を備え、前記第２のアクティブ接続がデータ呼を備え、
ここにおいて、競合を前記緩和することは、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、    前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
を備える、Ｃ１に記載の方法。
［Ｃ７］
ユーザ機器（ＵＥ）において動作可能なワイヤレス通信の方法であって、
第１のサブスクリプションに関連する第１のアクティブ接続を確立することと、
前記第１のアクティブ接続と同時に、第２のサブスクリプションに関連する第２のアクティブ接続を確立することと、
前記ＵＥのモデムによって決定された前記第１のアクティブ接続および前記第２のアクティブ接続のそれぞれの接続品質に基づいて、前記モデムによって行われた決定に従って前記第１のアクティブ接続または前記第２のアクティブ接続の少なくとも一方を劣化させることによって、前記第１のアクティブ接続と前記第２のアクティブ接続との間の競合を緩和することと
を備える、方法。
［Ｃ８］
前記接続品質が、エラーレート、チャネル品質、要求されたデータレート、利用可能なデータレート、受信電力、送信電力ヘッドルーム、またはラウンドトリップ時間のうちの少なくとも１つを備える、Ｃ７に記載の方法。
［Ｃ９］
競合を前記緩和することが、
前記第１のアクティブ接続および前記第２のアクティブ接続の一方に、他方に勝る優先度を付けること、
前記第１のアクティブ接続または前記第２のアクティブ接続の少なくとも一方をスロットリングすること、または
前記第１のアクティブ接続または前記第２のアクティブ接続の少なくとも一方を保留にすること
のうちの少なくとも１つを備える、Ｃ７に記載の方法。
［Ｃ１０］
前記第１のアクティブ接続が第１のボイス呼を備え、前記第２のアクティブ接続が第２のボイス呼を備え、
ここにおいて、競合を前記緩和することが、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にすることを備える、Ｃ７に記載の方法。
［Ｃ１１］
前記モデムによって行われた前記決定が、前記ＵＥのオペレーティングシステムまたはユーザによって行われない、Ｃ７に記載の方法。
［Ｃ１２］
ワイヤレス通信のためのユーザ機器（ＵＥ）であって、
第１のサブスクリプションに関連する第１のアクティブ接続を確立するための手段と、  前記第１のアクティブ接続と同時に、第２のサブスクリプションに関連する第２のアクティブ接続を確立するための手段と、
前記第１のアクティブ接続と前記第２のアクティブ接続との接続品質に対応するモデム情報を前記ＵＥのオペレーティングシステムに与えるための手段と、
前記モデム情報に基づいて前記オペレーティングシステムによって行われた決定に従って前記第１のアクティブ接続または前記第２のアクティブ接続の少なくとも一方を劣化させることによって、前記第１のアクティブ接続と前記第２のアクティブ接続との間の競合を緩和するための手段と
を備える、ユーザ機器。
［Ｃ１３］
前記接続品質が、前記第１の接続または前記第２の接続に対応するエラーレート、チャネル品質、要求されたデータレート、利用可能なデータレート、受信電力、送信電力ヘッドルーム、またはラウンドトリップ時間のうちの少なくとも１つを備える、Ｃ１２に記載のユーザ機器。
［Ｃ１４］
前記第１のアクティブ接続および前記第２のアクティブ接続に関する情報を前記ＵＥのユーザに与えるための手段と、
前記第１のアクティブ接続および前記第２のアクティブ接続のいずれが劣化されるべきかに関する前記ユーザからの入力を受信するための手段と、
前記ユーザからの前記入力に従って、競合を緩和するための前記決定を行うための手段と
をさらに備える、Ｃ１２に記載のユーザ機器。
［Ｃ１５］
競合を緩和するための前記手段が、
前記第１のアクティブ接続または前記第２のアクティブ接続の一方に、他方に勝る優先度を付けるための手段、
前記第１のアクティブ接続または前記第２のアクティブ接続の少なくとも一方のデータをスロットリングするための手段、または
前記第１のアクティブ接続または前記第２のアクティブ接続の少なくとも一方を保留にするための手段
のうちの少なくとも１つを備える、Ｃ１２に記載のユーザ機器。
［Ｃ１６］
前記第１のアクティブ接続が第１のボイス呼を備え、前記第２のアクティブ接続が第２のボイス呼を備え、
ここにおいて、競合を緩和するための前記手段が、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にするように構成された、Ｃ１２に記載のユーザ機器。
［Ｃ１７］
前記第１のアクティブ接続がボイス呼を備え、前記第２のアクティブ接続がデータ呼を備え、
ここにおいて、競合を緩和するための前記手段は、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、    前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
を行うように構成された、Ｃ１２に記載のユーザ機器。
［Ｃ１８］
ワイヤレス通信のためのユーザ機器（ＵＥ）であって、
第１のサブスクリプションに関連する第１のアクティブ接続を確立するための手段と、  前記第１のアクティブ接続と同時に、第２のサブスクリプションに関連する第２のアクティブ接続を確立するための手段と、
前記ＵＥのモデムによって決定された前記第１のアクティブ接続および前記第２のアクティブ接続のそれぞれの接続品質に基づいて、前記モデムによって行われた決定に従って前記第１のアクティブ接続または前記第２のアクティブ接続の少なくとも一方を劣化させることによって、前記第１のアクティブ接続と前記第２のアクティブ接続との間の競合を緩和するための手段と
を備える、ユーザ機器。
［Ｃ１９］
前記接続品質が、エラーレート、チャネル品質、要求されたデータレート、利用可能なデータレート、受信電力、送信電力ヘッドルーム、またはラウンドトリップ時間のうちの少なくとも１つを備える、Ｃ１８に記載のユーザ機器。
［Ｃ２０］
競合を緩和するための前記手段が、
前記第１のアクティブ接続および前記第２のアクティブ接続の一方に、他方に勝る優先度を付けるための手段、
前記第１のアクティブ接続または前記第２のアクティブ接続の少なくとも一方をスロットリングするための手段、または
前記第１のアクティブ接続または前記第２のアクティブ接続の少なくとも一方を保留にするための手段
のうちの少なくとも１つを備える、Ｃ１８に記載のユーザ機器。
［Ｃ２１］
前記第１のアクティブ接続が第１のボイス呼を備え、前記第２の接続が第２のボイス呼を備え、
ここにおいて、競合を緩和するための前記手段が、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にするように構成された、Ｃ１８に記載のユーザ機器。
［Ｃ２２］
前記モデムによって行われた前記決定が、前記ＵＥのオペレーティングシステムまたはユーザによって行われない、Ｃ１８に記載のユーザ機器。
［Ｃ２３］
ワイヤレス通信のためのユーザ機器（ＵＥ）であって、
第１のサブスクリプションに関連する第１のアクティブ接続を確立するように構成された第１のサブスクリプションアクセス回路と、
前記第１のアクティブ接続と同時に、第２のサブスクリプションに関連する第２のアクティブ接続を確立するように構成された第２のサブスクリプションアクセス回路と、
前記第１のアクティブ接続と前記第２のアクティブ接続との接続品質に対応するモデム情報を前記ＵＥのオペレーティングシステムに与えるように構成されたモデム回路と、    前記モデム回路から前記モデム情報を受信することと、
前記モデム情報に基づいて前記オペレーティングシステムによって行われた決定に従って前記第１のアクティブ接続または前記第２のアクティブ接続の少なくとも一方を劣化させることによって、前記第１のアクティブ接続と前記第２のアクティブ接続との間の競合を緩和することと
を行うように構成された少なくとも１つのプロセッサと
を備える、ユーザ機器。
［Ｃ２４］
前記接続品質が、前記第１の接続または前記第２の接続に対応するエラーレート、チャネル品質、要求されたデータレート、利用可能なデータレート、受信電力、送信電力ヘッドルーム、またはラウンドトリップ時間のうちの少なくとも１つを備える、Ｃ２３に記載のユーザ機器。
［Ｃ２５］
前記第１のアクティブ接続および前記第２のアクティブ接続に関する情報を前記ＵＥのユーザに与えることと、
前記第１のアクティブ接続および前記第２のアクティブ接続のいずれが劣化されるべきかに関する前記ユーザからの入力を受信することと
を行うように構成されたユーザ制御回路をさらに備え、
ここにおいて、前記少なくとも１つのプロセッサが、
前記ユーザからの前記入力に従って、競合を緩和するための前記決定を行う
ようにさらに構成された、Ｃ２３に記載のユーザ機器。
［Ｃ２６］
前記少なくとも１つのプロセッサが、
前記第１のアクティブ接続または前記第２のアクティブ接続の一方に、他方に勝る優先度を付けること、
前記第１のアクティブ接続または前記第２のアクティブ接続の少なくとも一方のデータをスロットリングすること、または
前記第１のアクティブ接続または前記第２のアクティブ接続の少なくとも一方を保留にすること
のうちの少なくとも１つによって競合を緩和するようにさらに構成された、Ｃ２３に記載のユーザ機器。
［Ｃ２７］
前記第１のアクティブ接続が第１のボイス呼を備え、前記第２のアクティブ接続が第２のボイス呼を備え、
ここにおいて、前記少なくとも１つのプロセッサが、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にするようにさらに構成された、Ｃ２３に記載のユーザ機器。
［Ｃ２８］
前記第１のアクティブ接続がボイス呼を備え、前記第２の接続がデータ呼を備え、
ここにおいて、前記少なくとも１つのプロセッサは、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、    前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
を行うようにさらに構成された、Ｃ２３に記載のユーザ機器。
［Ｃ２９］
ワイヤレス通信のためのユーザ機器（ＵＥ）であって、
第１のサブスクリプションに関連する第１のアクティブ接続を確立するように構成された第１のサブスクリプションアクセス回路と、
前記第１のアクティブ接続と同時に、第２のサブスクリプションに関連する第２のアクティブ接続を確立するように構成された第２のサブスクリプションアクセス回路と、
モデム回路によって決定された前記第１のアクティブ接続および前記第２のアクティブ接続のそれぞれの接続品質に基づいて、前記モデム回路によって行われた決定に従って前記第１のアクティブ接続または前記第２のアクティブ接続の少なくとも一方を劣化させることによって、前記第１のアクティブ接続と前記第２のアクティブ接続との間の競合を緩和するように構成された前記モデム回路と
を備える、ユーザ機器。
［Ｃ３０］
前記接続品質が、エラーレート、チャネル品質、要求されたデータレート、利用可能なデータレート、受信電力、送信電力ヘッドルーム、またはラウンドトリップ時間のうちの少なくとも１つを備える、Ｃ２９に記載のユーザ機器。
［Ｃ３１］
前記モデム回路が、
前記第１のアクティブ接続および前記第２のアクティブ接続の一方に、他方に勝る優先度を付けること、
前記第１のアクティブ接続または前記第２のアクティブ接続の少なくとも一方をスロットリングすること、または
前記第１のアクティブ接続または前記第２のアクティブ接続の少なくとも一方を保留にすること
のうちの少なくとも１つによって競合を緩和するようにさらに構成された、Ｃ２９に記載のユーザ機器。
［Ｃ３２］
前記第１のアクティブ接続が第１のボイス呼を備え、前記第２の接続が第２のボイス呼を備え、
ここにおいて、前記モデム回路が、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にするようにさらに構成された、Ｃ２９に記載のユーザ機器。
［Ｃ３３］
前記モデム回路によって行われた前記決定が、前記ＵＥのオペレーティングシステムまたはユーザによって行われない、Ｃ２９に記載のユーザ機器。
［Ｃ３４］
ワイヤレス通信のためのユーザ機器（ＵＥ）に、
第１のサブスクリプションに関連する第１のアクティブ接続を確立することと、
前記第１のアクティブ接続と同時に、第２のサブスクリプションに関連する第２のアクティブ接続を確立することと、
前記第１のアクティブ接続と前記第２のアクティブ接続との接続品質に対応するモデム情報を前記ＵＥのオペレーティングシステムに与えることと、
前記モデム情報に基づいて前記オペレーティングシステムによって行われた決定に従って前記第１のアクティブ接続または前記第２のアクティブ接続の少なくとも一方を劣化させることによって、前記第１のアクティブ接続と前記第２のアクティブ接続との間の競合を緩和することと
を行わせるためのコードを備えるコンピュータ可読媒体。
［Ｃ３５］
前記接続品質が、前記第１の接続または前記第２の接続に対応するエラーレート、チャネル品質、要求されたデータレート、利用可能なデータレート、受信電力、送信電力ヘッドルーム、またはラウンドトリップ時間のうちの少なくとも１つを備える、Ｃ３４に記載のコンピュータ可読媒体。
［Ｃ３６］
前記コードが、前記ＵＥに、
前記第１のアクティブ接続および前記第２のアクティブ接続に関する情報を前記ＵＥのユーザに与えることと、
前記第１のアクティブ接続および前記第２のアクティブ接続のいずれが劣化されるべきかに関する前記ユーザからの入力を受信することと、
前記ユーザからの前記入力に従って、競合を緩和するための前記決定を行うことと
をさらに行わせる、Ｃ３４に記載のコンピュータ可読媒体。
［Ｃ３７］
前記コードが、前記ＵＥに、
前記第１のアクティブ接続または前記第２のアクティブ接続の一方に、他方に勝る優先度を付けること、
前記第１のアクティブ接続または前記第２のアクティブ接続の少なくとも一方のデータをスロットリングすること、または
前記第１のアクティブ接続または前記第２のアクティブ接続の少なくとも一方を保留にすること
のうちの少なくとも１つによって競合を緩和することをさらに行わせる、Ｃ３４に記載のコンピュータ可読媒体。
［Ｃ３８］
前記第１のアクティブ接続が第１のボイス呼を備え、前記第２のアクティブ接続が第２のボイス呼を備え、
ここにおいて、前記コードが、前記ＵＥに、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にすることをさらに行わせる、Ｃ３４に記載のコンピュータ可読媒体。
［Ｃ３９］
前記第１のアクティブ接続がボイス呼を備え、前記第２のアクティブ接続がデータ呼を備え、
ここにおいて、前記コードは、前記ＵＥに、
前記データ呼が前記ボイス呼に対してフォアグラウンドアプリケーションである場合、前記第１のアクティブ接続および前記第２のアクティブ接続のそれぞれの接続品質に基づいて、前記データ呼をスロットリングするかまたは前記ボイス呼を保留にすることと、    前記ボイス呼が前記データ呼に対してフォアグラウンドアプリケーションである場合、前記第１のアクティブ接続および前記第２のアクティブ接続のそれぞれの接続品質に基づいて、前記データ呼を中断またはスロットリングすることと
をさらに行わせる、Ｃ３４に記載のコンピュータ可読媒体。
［Ｃ４０］
ワイヤレス通信のためのユーザ機器（ＵＥ）に、
第１のサブスクリプションに関連する第１のアクティブ接続を確立することと、
前記第１のアクティブ接続と同時に、第２のサブスクリプションに関連する第２のアクティブ接続を確立することと、
前記ＵＥのモデムによって決定された前記第１のアクティブ接続および前記第２のアクティブ接続のそれぞれの接続品質に基づいて、前記モデムによって行われた決定に従って前記第１のアクティブ接続または前記第２のアクティブ接続の少なくとも一方を劣化させることによって、前記第１のアクティブ接続と前記第２のアクティブ接続との間の競合を緩和することと
を行わせるためのコードを備えるコンピュータ可読媒体。
［Ｃ４１］
前記接続品質が、エラーレート、チャネル品質、要求されたデータレート、利用可能なデータレート、受信電力、送信電力ヘッドルーム、またはラウンドトリップ時間のうちの少なくとも１つを備える、Ｃ４０に記載のコンピュータ可読媒体。
［Ｃ４２］
前記コードが、前記ＵＥに、
前記第１のアクティブ接続および前記第２のアクティブ接続の一方に、他方に勝る優先度を付けること、
前記第１のアクティブ接続または前記第２のアクティブ接続の少なくとも一方をスロットリングすること、または
前記第１のアクティブ接続または前記第２のアクティブ接続の少なくとも一方を保留にすること
のうちの少なくとも１つによって競合を緩和することをさらに行わせる、Ｃ４０に記載のコンピュータ可読媒体。
［Ｃ４３］
前記第１のアクティブ接続が第１のボイス呼を備え、前記第２のアクティブ接続が第２のボイス呼を備え、
ここにおいて、前記コードが、前記ＵＥに、
アクティブボイス呼のデータレートよりも低いデータレートで送信すること、
周期トーンを送信すること、または
キープアライブデータを除くデータの送信を控えること
によって前記第１のボイス呼または前記第２のボイス呼の一方を保留にすることをさらに行わせる、Ｃ４０に記載のコンピュータ可読媒体。
［Ｃ４４］
前記モデムによって行われた前記決定が、前記ＵＥのオペレーティングシステムまたはユーザによって行われない、Ｃ４０に記載のコンピュータ可読媒体。